(57)【要約】【課題】メダルの不正な払い出しを防止する。【解決手段】メダル払出装置１００は、ホッパー１１０と、ホッパー１１０におけるメダルの払い出しの制御を行う払出制御手段２５０と、ホッパー１１０におけるエラーを検出するエラー検出手段２６０と、エラーに対応した措置であるエラー対応を行うエラー対応手段２７０とを備える。払出制御手段２５０は、払出命令信号を出力してホッパー１１０におけるメダルの払い出しの制御を行う。ホッパー１１０は、メダルの払い出しを検出して払出検出信号を出力する払出検出手段１３０と、ホッパー１１０の駆動を検出して駆動検出信号を出力する駆動検出手段１４０とを備える。エラー検出手段２６０は、払出命令信号と、払出検出信号と、駆動検出信号とを照合して、ホッパー１１０におけるエラーの検出を行うとともに、エラーを検出すると、エラー検出信号を出力する。エラー対応手段２７０は、エラー検出信号の出力があると、所定のエラー対応を行う。【選択図】  図１
2004215952.tif 000002
【特許請求の範囲】
【請求項１】
メダルを払い出すためのホッパーと、ホッパーにおけるメダルの払い出しの制御を行うための払出制御手段と、ホッパーにおけるエラーを検出するためのエラー検出手段と、ホッパーにおけるエラーに対応した措置であるエラー対応を行うためのエラー対応手段とを備え、
前記払出制御手段は、払出命令信号を出力してホッパーにおけるメダルの払い出しの制御を行うように形成され、
前記ホッパーは、メダルの払い出しを検出して払出検出信号を出力するための払出検出手段と、ホッパーの駆動を検出して駆動検出信号を出力するための駆動検出手段とを備え、
前記エラー検出手段は、払出命令信号と、払出検出信号と、駆動検出信号とを照合して、ホッパーにおけるエラーの検出を行うとともに、ホッパーにおけるエラーを検出すると、エラー検出信号を出力するように形成され、
前記エラー対応手段は、エラー検出信号の出力があると、所定のエラー対応を行うように形成されていることを特徴とするメダル払出装置。
【請求項２】
前記ホッパーは、払い出し直前の位置にあるメダルを検出して直前検出信号を出力するための直前検出手段を備え、
前記エラー検出手段は、払出命令信号と、払出検出信号と、駆動検出信号と、直前検出信号とを照合して、ホッパーにおけるエラーの検出を行うように形成されていることを特徴とする請求項１記載のメダル払出装置。
【請求項３】
周囲に複数の図柄が表示されている回転リールと、メダルを払い出すためのホッパーと、スロットマシンを制御するための制御装置とを備え、
前記制御装置は、抽選を行うための抽選手段と、抽選手段の抽選結果に基づいて回転リールの停止制御を行うための停止制御手段と、すべての回転リールの回転が停止した際における図柄の停止位置によって入賞か否かの判定を行うための入賞判定手段と、ホッパーにおけるメダルの払い出しの制御を行うための払出制御手段と、ホッパーにおけるエラーを検出するためのエラー検出手段と、ホッパーにおけるエラーに対応した措置であるエラー対応を行うためのエラー対応手段とを備え、
前記払出制御手段は、払出命令信号を出力してホッパーにおけるメダルの払い出しの制御を行うように形成され、
前記ホッパーは、メダルの払い出しを検出して払出検出信号を出力するための払出検出手段と、ホッパーの駆動を検出して駆動検出信号を出力するための駆動検出手段とを備え、
前記エラー検出手段は、払出命令信号と、払出検出信号と、駆動検出信号とを照合して、ホッパーにおけるエラーの検出を行うとともに、ホッパーにおけるエラーを検出すると、エラー検出信号を出力するように形成され、
前記エラー対応手段は、エラー検出信号の出力があると、所定のエラー対応を行うように形成されていることを特徴とするメダル払出装置を用いたスロットマシン。
【請求項４】
前記ホッパーは、払い出し直前の位置にあるメダルを検出して直前検出信号を出力するための直前検出手段を備え、
前記エラー検出手段は、払出命令信号と、払出検出信号と、駆動検出信号と、直前検出信号とを照合して、ホッパーにおけるエラーの検出を行うように形成されていることを特徴とする請求項３記載のメダル払出装置を用いたスロットマシン。
【請求項５】
前記エラー対応手段は、エラー対応として、スピーカから特定のエラー音を出力するように形成されていることを特徴とする請求項３又は４記載のメダル払出装置を用いたスロットマシン。
【請求項６】
前記エラー対応手段は、エラー対応として、スロットマシンの前面に設けた表示装置に特定のエラー表示を行うように形成されていることを特徴とする請求項３、４又は５記載のメダル払出装置を用いたスロットマシン。
【請求項７】
前記エラー対応手段は、エラー対応として、ホッパーの駆動を停止させるように形成されていることを特徴とする請求項３、４、５又は６記載のメダル払出装置を用いたスロットマシン。
【発明の詳細な説明】
【０００１】
【発明の属する技術分野】
本発明は、メダル払出装置に関し、更に詳しくは、ホッパーにおけるエラーを検出して所定のエラー対応を行うメダル払出装置に関するものである。
また、本発明は、メダル払出装置を用いたスロットマシンに関し、更に詳しくは、ホッパーにおけるエラーを検出して所定のエラー対応を行うメダル払出装置を用いたスロットマシンに関するものである。
【０００２】
【従来の技術】
従来から、スロットマシンなどのメダル遊技機や、メダル貸出機には、メダル払出装置が用いられている。
例えば、スロットマシンでは、メダルを投入し、その後に、スタートスイッチを操作すると、まず、当選か否かの抽選が行われ、ほぼ同時に、３個すべての回転リールの回転が開始する。その後に、３個のストップスイッチのうちの１個を操作すると、当該ストップスイッチに対応した回転リールの回転が停止する。そして、３個すべてのストップスイッチを操作し終えると、３個すべての回転リールの回転が停止する。このとき、所定の図柄が所定の位置に停止すると、入賞となる。そして、入賞態様に応じた枚数のメダルが、クレジットされるか、又はメダル払出装置により払い出される。また、メダルの払い出しに代えて、あるいはメダルの払い出しとともに、遊技者に対して所定の利益が付与されることもある。
【０００３】
【特許文献１】
特開２００２−１４３３９１号公報
【０００４】
【発明が解決しようとする課題】
しかし、従来のメダル払出装置や、このメダル払出装置を用いたスロットマシンなどでは、ホッパーに細工等が施されることにより、メダルが不正に払い出されることがあった。
具体的には、例えば、ホッパーの配線をショートさせ、これにより、入賞していないのにもかかわらず、メダルを払い出すためのモータを強制的に駆動させて、メダルが不正に払い出されることがあった。
【０００５】
また、例えば、メダルの払い出しを検出するためのセンサをマスクし、これにより、メダルが払い出されているにもかかわらず、メダルが払い出されていないようにみせかけて、メダルが不正に払い出されることもあった。
（請求項１）
そこで、請求項１記載の発明は、メダルの払い出しを検出して払出検出信号を出力する払出検出手段と、ホッパーの駆動を検出して駆動検出信号を出力する駆動検出手段とを備えるとともに、払出命令信号、払出検出信号、及び駆動検出信号を照合してホッパーにおけるエラーの検出を行うエラー検出手段と、このエラー検出手段がエラーを検出すると所定のエラー対応を行うエラー対応手段とを備えることにより、メダルの不正な払い出しを防止できるようにしたメダル払出装置を提供することを目的とする。
【０００６】
（請求項２）
また、請求項２記載の発明は、請求項１記載の発明の目的に加え、払い出し直前の位置にあるメダルを検出して直前検出信号を出力する直前検出手段を追加し、払出命令信号と、払出検出信号と、駆動検出信号と、直前検出信号とを照合して、ホッパーにおけるエラーの検出を行うことにより、ホッパーにエラーがあった旨をより確実に検出できるようにして、メダルの不正な払い出しをより確実に防止できるようにしたメダル払出装置を提供することを目的とする。
【０００７】
（請求項３）
また、請求項３記載の発明は、メダルの払い出しを検出して払出検出信号を出力する払出検出手段と、ホッパーの駆動を検出して駆動検出信号を出力する駆動検出手段とを備えるとともに、払出命令信号、払出検出信号、及び駆動検出信号を照合してホッパーにおけるエラーの検出を行うエラー検出手段と、このエラー検出手段がエラーを検出すると所定のエラー対応を行うエラー対応手段とを備えることにより、メダルの不正な払い出しを防止できるようにしたメダル払出装置を用いたスロットマシンを提供することを目的とする。
【０００８】
（請求項４）
また、請求項４記載の発明は、請求項３記載の発明の目的に加え、払い出し直前の位置にあるメダルを検出して直前検出信号を出力する直前検出手段を追加して、払出命令信号と、払出検出信号と、駆動検出信号と、直前検出信号とを照合してホッパーにおけるエラーの検出を行うことにより、メダルの不正な払い出しをより確実に防止できるようにしたメダル払出装置を用いたスロットマシンを提供することを目的とする。
【０００９】
（請求項５）
また、請求項５記載の発明は、請求項３又は４記載の発明の目的に加え、エラー対応として、スピーカから特定のエラー音を出力することにより、ホッパーにエラーがあった旨が目立つようにして、メダルの不正な払い出しをより効果的に防止できるようにしたメダル払出装置を用いたスロットマシンを提供することを目的とする。
【００１０】
（請求項６）
また、請求項６記載の発明は、請求項３ないし５記載の発明の目的に加え、エラー対応として、スロットマシンの前面に設けた表示装置に特定のエラー表示を行うことにより、ホッパーにエラーがあった旨が目立つようにして、メダルの不正な払い出しをより効果的に防止できるようにしたメダル払出装置を用いたスロットマシンを提供することを目的とする。
【００１１】
（請求項７）
更に、請求項７記載の発明は、請求項３ないし６記載の発明の目的に加え、エラー対応として、ホッパーの駆動を停止させることにより、メダルの不正な払い出しをより効果的に防止できるようにしたメダル払出装置を用いたスロットマシンを提供することを目的とする。
【００１２】
【課題を解決するための手段】
（請求項１）
請求項１記載の発明は、メダル払出装置（１００）に係るものである。すなわち、メダルを払い出すためのホッパー（１１０）と、ホッパー（１１０）におけるメダルの払い出しの制御を行うための払出制御手段（２５０）と、ホッパー（１１０）におけるエラーを検出するためのエラー検出手段（２６０）と、ホッパー（１１０）におけるエラーに対応した措置であるエラー対応を行うためのエラー対応手段（２７０）とを備え、前記払出制御手段（２５０）は、払出命令信号を出力してホッパー（１１０）におけるメダルの払い出しの制御を行うように形成され、前記ホッパー（１１０）は、メダルの払い出しを検出して払出検出信号を出力するための払出検出手段（１３０）と、ホッパー（１１０）の駆動を検出して駆動検出信号を出力するための駆動検出手段（１４０）とを備え、前記エラー検出手段（２６０）は、払出命令信号と、払出検出信号と、駆動検出信号とを照合して、ホッパー（１１０）におけるエラーの検出を行うとともに、ホッパー（１１０）におけるエラーを検出すると、エラー検出信号を出力するように形成され、前記エラー対応手段（２７０）は、エラー検出信号の出力があると、所定のエラー対応を行うように形成されていることを特徴とする。
【００１３】
ここで、「ホッパー（１１０）」は、メダルを払い出すためのものである。
このホッパー（１１０）は、メダルの払い出しを検出して払出検出信号を出力するための払出検出手段（１３０）と、ホッパー（１１０）の駆動を検出して駆動検出信号を出力するための駆動検出手段（１４０）とを備えている。
また、「払出検出手段（１３０）」は、メダルの払い出しを検出して、払出検出信号を出力するためのものである。
【００１４】
この払出検出手段（１３０）は、例えば、フォトセンサ（１３１）などを用いて構成することができる。
また、「払出検出信号」は、ホッパー（１１０）からメダルが払い出されると、払出検出手段（１３０）から出力される信号である。
例えば、払出制御手段（２５０）が払出命令信号を出力し、この払出命令信号を受けてホッパー（１１０）の払出モータ（１５４）が駆動して、メダルの払い出しが行われたとする。そうすると、払出検出手段（１３０）は、ホッパー（１１０）からのメダルの払い出しを検出して、払出検出信号を出力するのである。
【００１５】
また、例えば、ホッパー（１１０）の配線がショートさせられ、払出モータ（１５４）が強制的に駆動させられたとする。そして、払出制御手段（２５０）からの払出命令信号がないにもかかわらず、ホッパー（１１０）からメダルの払い出しが行われたとする。このような場合にも、払出検出手段（１３０）は、ホッパー（１１０）からのメダルの払い出しを検出して、払出検出信号を出力するのである。
【００１６】
すなわち、払出検出手段（１３０）は、ホッパー（１１０）からのメダルの払い出しを検出すると、その払い出しが正常に行われたものであるか否かにかかわらず、払出検出信号を出力する。言い換えれば、払出検出手段（１３０）は、ホッパー（１１０）からのメダルの払い出しを検出すると、その払い出しがたとえ不正に行われたものであっても、払出検出信号を出力するのである。
【００１７】
また、「駆動検出手段（１４０）」は、ホッパー（１１０）の駆動を検出して、駆動検出信号を出力するためのものである。
ここで、ホッパー（１１０）は、回転ディスク（１５２）と、この回転ディスク（１５２）を回転させるための払出モータ（１５４）とを備えている。そして、払出モータ（１５４）が駆動すると、回転ディスク（１５２）が回転して、ホッパー（１１０）のメダル排出口（１５６）からメダルが払い出されるようになっている。
【００１８】
このため、ホッパー（１１０）の駆動の検出は、例えば、払出モータ（１５４）の駆動の検出によって行うこともできるし、また、回転ディスク（１５２）の回転の検出によって行うこともできる。また、払出モータ（１５４）の駆動の検出は、例えば、払出モータ（１５４）の駆動電流あるいは駆動電力を検出することによって行うことができる。また、回転ディスク（１５２）の回転の検出は、例えば、回転ディスク（１５２）の周囲に複数の検出用チップ（１４１）を設けて、回転ディスク（１５２）の回転に伴うこれらの検出用チップ（１４１）の通過を、チップ検出センサ（１４２）で検出することによって行うことができる。
【００１９】
また、「払出制御手段（２５０）」は、ホッパー（１１０）におけるメダルの払い出しの制御を行うためのものである。
この払出制御手段（２５０）は、払出命令信号を出力して、ホッパー（１１０）におけるメダルの払い出しの制御を行う。
また、「払出命令信号」は、ホッパー（１１０）からメダルを払い出させるために、払出制御手段（２５０）から出力される信号である。
【００２０】
すなわち、払出制御手段（２５０）が払出命令信号を出力すると、ホッパー（１１０）の払出モータ（１５４）が駆動し、回転ディスク（１５２）が回転して、メダル排出口（１５６）からメダルが払い出される。言い換えれば、ホッパー（１１０）は、払出命令信号を受けて、メダルの払い出しを行うのである。
また、「エラー検出手段（２６０）」は、ホッパー（１１０）におけるエラーを検出するためのものである。
【００２１】
このエラー検出手段（２６０）は、払出命令信号と、払出検出信号と、駆動検出信号とを照合して、ホッパー（１１０）におけるエラーの検出を行うとともに、ホッパー（１１０）におけるエラーを検出すると、エラー検出信号を出力する。
また、「エラー検出信号」は、ホッパー（１１０）におけるエラーが検出されると、エラー検出手段（２６０）から出力される信号である。
【００２２】
すなわち、払出命令信号があり、かつ、払出検出信号があり、かつ、駆動検出信号があれば、ホッパー（１１０）は正常である。また、払出命令信号がなく、かつ、払出検出信号がなく、かつ、駆動検出信号がなくても、ホッパー（１１０）は正常である。しかし、例えば、払出命令信号があり、かつ、払出検出信号があり、かつ、駆動検出信号がないと、ホッパー（１１０）は異常である。そして、エラー検出手段（２６０）は、払出命令信号があり、かつ、払出検出信号があり、かつ、駆動検出信号がないと、ホッパー（１１０）にエラーがあったと判断して、エラー検出信号を出力するのである。払出命令信号があり、かつ、払出検出信号がなく、かつ、駆動検出信号があるとき、払出命令信号があり、かつ、払出検出信号がなく、かつ、駆動検出信号がないとき、払出命令信号がなく、かつ、払出検出信号があり、かつ、駆動検出信号があるとき、払出命令信号がなく、かつ、払出検出信号があり、かつ、駆動検出信号がないとき、払出命令信号がなく、かつ、払出検出信号がなく、かつ、駆動検出信号があるときについても同様である。
【００２３】
また、「エラー対応手段（２７０）」は、ホッパー（１１０）におけるエラーに対応した措置であるエラー対応を行うためのものである。
このエラー対応手段（２７０）は、エラー検出信号の出力があると、所定のエラー対応を行う。
また、「エラー対応」とは、ホッパー（１１０）におけるエラーに対応した措置である。
【００２４】
このエラー対応としては、例えば、ホッパー（１１０）にエラーがあった旨を視覚や聴覚に訴える手段で知らせたり、あるいはメダルの払い出しを停止することができる。
また、払出制御手段（２５０）、エラー検出手段（２６０）及びエラー対応手段（２７０）は、例えば、ＣＰＵ、ＲＡＭ、ＲＯＭ、及びＩ／Ｏなどを備えた制御装置に所定のプログラムを実行させることによって形成することができる。
【００２５】
具体的には、例えば、メダル払出装置（１００）がスロットマシン（１０）に用いられる場合にあっては、スロットマシン（１０）を制御するための制御装置（２０）に所定のプログラムを実行させることによって、払出制御手段（２５０）、エラー検出手段（２６０）及びエラー対応手段（２７０）を形成することができる。
また、例えば、メダル払出装置（１００）がメダル貸出機に用いられる場合にあっては、メダル貸出機を制御するための制御装置に所定のプログラムを実行させることによって、払出制御手段（２５０）、エラー検出手段（２６０）及びエラー対応手段（２７０）を形成することができる。
【００２６】
本発明によれば、払出命令信号と、払出検出信号と、駆動検出信号との照合により、ホッパー（１１０）におけるエラーを検出できる。そして、ホッパー（１１０）におけるエラーが検出されると、所定のエラー対応が行われることから、メダルの不正な払い出しを防止できるのである。
なお、前記エラー検出手段（２６０）は、払出命令信号があり、かつ、払出検出信号があり、かつ、駆動検出信号がないときに、故障が想定されるエラー検出信号として、第１エラー検出信号を出力するように形成することができる。
【００２７】
すなわち、払出命令信号があり、かつ、払出検出信号があり、かつ、駆動検出信号がないと、ホッパー（１１０）は異常である。この場合、特に、駆動検出手段（１４０）の故障の可能性がある。そこで、払出命令信号があり、かつ、払出検出信号があり、かつ、駆動検出信号がないときに、ホッパー（１１０）にエラーがあったと判断するとともに、故障が想定されるエラー検出信号として、第１エラー検出信号を出力するように、エラー検出手段（２６０）を形成する。そうすると、ホッパー（１１０）にエラーがあった旨のみならず、ホッパー（１１０）におけるエラーの態様までも検出できるのである。
【００２８】
また、前記エラー検出手段（２６０）は、払出命令信号があり、かつ、払出検出信号がなく、かつ、駆動検出信号があるときに、故障が想定されるエラー検出信号として、第２エラー検出信号を出力するように形成することもできる。
すなわち、払出命令信号があり、かつ、払出検出信号がなく、かつ、駆動検出信号があると、ホッパー（１１０）は異常である。この場合、特に、払出検出手段（１３０）の故障の可能性がある。そこで、払出命令信号があり、かつ、払出検出信号がなく、かつ、駆動検出信号があるときに、ホッパー（１１０）にエラーがあったと判断するとともに、故障が想定されるエラー検出信号として、第２エラー検出信号を出力するように、エラー検出手段（２６０）を形成する。そうすると、ホッパー（１１０）にエラーがあった旨のみならず、ホッパー（１１０）におけるエラーの態様までも検出できるのである。
【００２９】
また、前記エラー検出手段（２６０）は、払出命令信号があり、かつ、払出検出信号がなく、かつ、駆動検出信号がないときに、故障が想定されるエラー検出信号として、第３エラー検出信号を出力するように形成することができる。
すなわち、払出命令信号があり、かつ、払出検出信号がなく、かつ、駆動検出信号がないと、ホッパー（１１０）は異常である。この場合、特に、払出モータ（１５４）の故障の可能性がある。そこで、払出命令信号があり、かつ、払出検出信号がなく、かつ、駆動検出信号がないときに、ホッパー（１１０）にエラーがあったと判断するとともに、故障が想定されるエラー検出信号として、第３エラー検出信号を出力するように、エラー検出手段（２６０）を形成する。そうすると、ホッパー（１１０）にエラーがあった旨のみならず、ホッパー（１１０）におけるエラーの態様までも検出できるのである。
【００３０】
また、前記エラー検出手段（２６０）は、払出命令信号がなく、かつ、払出検出信号があり、かつ、駆動検出信号があるときに、不正が想定されるエラー検出信号として、第４エラー検出信号を出力するように形成することができる。
すなわち、払出命令信号がなく、かつ、払出検出信号があり、かつ、駆動検出信号があると、ホッパー（１１０）は異常である。この場合、特に、払出モータ（１５４）を強制的に駆動させる不正が行われた可能性がある。そこで、払出命令信号がなく、かつ、払出検出信号があり、かつ、駆動検出信号があるときに、ホッパー（１１０）にエラーがあったと判断するとともに、不正が想定されるエラー検出信号として、第４エラー検出信号を出力するように、エラー検出手段（２６０）を形成する。そうすると、ホッパー（１１０）にエラーがあった旨のみならず、ホッパー（１１０）におけるエラーの態様までも検出できるのである。
【００３１】
また、前記エラー検出手段（２６０）は、払出命令信号がなく、かつ、払出検出信号があり、かつ、駆動検出信号がないときに、不正が想定されるエラー検出信号として、第５エラー検出信号を出力するように形成することができる。
すなわち、払出命令信号がなく、かつ、払出検出信号があり、かつ、駆動検出信号がないと、ホッパー（１１０）は異常である。この場合、特に、駆動検出手段（１４０）をマスクした状態で払出モータ（１５４）を強制的に駆動させる不正が行われた可能性がある。そこで、払出命令信号がなく、かつ、払出検出信号があり、かつ、駆動検出信号がないときに、ホッパー（１１０）にエラーがあったと判断するとともに、不正が想定されるエラー検出信号として、第５エラー検出信号を出力するように、エラー検出手段（２６０）を形成する。そうすると、ホッパー（１１０）にエラーがあった旨のみならず、ホッパー（１１０）におけるエラーの態様までも検出できるのである。
【００３２】
また、前記エラー検出手段（２６０）は、払出命令信号がなく、かつ、払出検出信号がなく、かつ、駆動検出信号があるときに、不正が想定されるエラー検出信号として、第６エラー検出信号を出力するように形成することができる。
すなわち、払出命令信号がなく、かつ、払出検出信号がなく、かつ、駆動検出信号があると、ホッパー（１１０）は異常である。この場合、特に、払出検出手段（１３０）をマスクした状態で払出モータ（１５４）を強制的に駆動させる不正が行われた可能性がある。そこで、払出命令信号がなく、かつ、払出検出信号がなく、かつ、駆動検出信号があるときに、ホッパー（１１０）にエラーがあったと判断するとともに、不正が想定されるエラー検出信号として、第６エラー検出信号を出力するように、エラー検出手段（２６０）を形成する。そうすると、ホッパー（１１０）にエラーがあった旨のみならず、ホッパー（１１０）におけるエラーの態様までも検出できるのである。
【００３３】
（請求項２）
請求項２記載の発明は、請求項１記載のメダル払出装置（１００）を限定したものである。すなわち、前記ホッパー（１１０）は、払い出し直前の位置にあるメダルを検出して直前検出信号を出力するための直前検出手段（１２０）を備え、前記エラー検出手段（２６０）は、払出命令信号と、払出検出信号と、駆動検出信号と、直前検出信号とを照合して、ホッパー（１１０）におけるエラーの検出を行うように形成されていることを特徴とする。
【００３４】
請求項１記載の発明では、ホッパー（１１０）は、払出検出手段（１３０）と、駆動検出手段（１４０）とを備え、エラー検出手段（２６０）は、払出命令信号と、払出検出信号と、駆動検出信号とを照合して、エラーの検出を行うとしたが、本発明では、ホッパー（１１０）は、払出検出手段（１３０）と、駆動検出手段（１４０）と、直前検出手段（１２０）とを備え、エラー検出手段（２６０）は、払出命令信号と、払出検出信号と、駆動検出信号と、直前検出信号とを照合して、エラーの検出を行うのである。
【００３５】
ここで、「直前検出手段（１２０）」は、払い出し直前の位置にあるメダルを検出して、直前検出信号を出力するためのものである。
この直前検出手段（１２０）は、例えば、近接センサ（１２１）などを用いて構成することができる。
また、「直前検出信号」は、払い出される直前の位置にメダルがあると、直前検出手段（１２０）から出力される信号である。すなわち、払い出される直前の位置にメダルがあると、この直前検出信号が出力され、一方、払い出される直前の位置にメダルがないと、この直前検出信号は出力されない。
【００３６】
ここで、回転ディスク（１５２）のメダル穴（１５３）にメダルが収納されている状態で、回転ディスク（１５２）が回転すると、メダル排出口（１５６）からメダルが払い出されるように形成されているメダル払出装置（１００）においては、払い出される直前のメダルは、回転ディスク（１５２）のメダル穴（１５３）に収納されている。このため、このようなメダル払出装置（１００）においては、回転ディスク（１５２）のメダル穴（１５３）にメダルが収納されていると、直前検出信号が出力され、一方、回転ディスク（１５２）のメダル穴（１５３）にメダルが収納されていないと、直前検出信号は出力されないようにすることができる。
【００３７】
また、「エラー検出手段（２６０）」は、払出命令信号と、払出検出信号と、駆動検出信号と、直前検出信号とを照合して、ホッパー（１１０）におけるエラーの検出を行うとともに、ホッパー（１１０）におけるエラーを検出すると、エラー検出信号を出力する。
すなわち、払出命令信号があり、かつ、払出検出信号があり、かつ、駆動検出信号があり、かつ、直前検出信号があれば、ホッパー（１１０）は正常である。また、払出命令信号がなく、かつ、払出検出信号がなく、かつ、駆動検出信号がなく、かつ、直前検出信号があるときも、ホッパー（１１０）は正常である。しかし、例えば、払出命令信号があり、かつ、払出検出信号があり、かつ、駆動検出信号があり、かつ、直前検出信号がないと、ホッパー（１１０）は異常である。そして、エラー検出手段（２６０）は、払出命令信号があり、かつ、払出検出信号があり、かつ、駆動検出信号があり、かつ、直前検出信号がないと、ホッパー（１１０）にエラーがあったと判断して、エラー検出信号を出力するのである。払出命令信号があり、かつ、払出検出信号があり、かつ、駆動検出信号がなく、かつ、直前検出信号があるとき、払出命令信号があり、かつ、払出検出信号があり、かつ、駆動検出信号がなく、かつ、直前検出信号がないとき、払出命令信号があり、かつ、払出検出信号がなく、かつ、駆動検出信号があり、かつ、直前検出信号があるとき、払出命令信号があり、かつ、払出検出信号がなく、かつ、駆動検出信号があり、かつ、直前検出信号がないとき、払出命令信号があり、かつ、払出検出信号がなく、かつ、駆動検出信号がなく、かつ、直前検出信号があるとき、払出命令信号があり、かつ、払出検出信号がなく、かつ、駆動検出信号がなく、かつ、直前検出信号がないとき、払出命令信号がなく、かつ、払出検出信号があり、かつ、駆動検出信号があり、かつ、直前検出信号があるとき、払出命令信号がなく、かつ、払出検出信号があり、かつ、駆動検出信号があり、かつ、直前検出信号がないとき、払出命令信号がなく、かつ、払出検出信号があり、かつ、駆動検出信号がなく、かつ、直前検出信号があるとき、払出命令信号がなく、かつ、払出検出信号があり、かつ、駆動検出信号がなく、かつ、直前検出信号がないとき、払出命令信号がなく、かつ、払出検出信号がなく、かつ、駆動検出信号があり、かつ、直前検出信号があるとき、払出命令信号がなく、かつ、払出検出信号がなく、かつ、駆動検出信号があり、かつ、直前検出信号がないとき、払出命令信号がなく、かつ、払出検出信号がなく、かつ、駆動検出信号がなく、かつ、直前検出信号がないときについても同様である。
【００３８】
本発明によれば、払出命令信号と、払出検出信号と、駆動検出信号と、直前検出信号とを照合してエラーの検出を行うことから、ホッパー（１１０）にエラーがあった旨をより確実に検出できるので、メダルの不正な払い出しをより確実に防止できるのである。
なお、前記エラー検出手段（２６０）は、払出命令信号があり、かつ、払出検出信号があり、かつ、駆動検出信号があり、かつ、直前検出信号がないときに、故障が想定されるエラー検出信号として、エラー検出信号Ａを出力するように形成することができる。
【００３９】
すなわち、払出命令信号があり、かつ、払出検出信号があり、かつ、駆動検出信号があり、かつ、直前検出信号がないと、ホッパー（１１０）は異常である。この場合、特に、直前検出手段（１２０）の故障の可能性がある。そこで、払出命令信号があり、かつ、払出検出信号があり、かつ、駆動検出信号があり、かつ、直前検出信号がないときに、ホッパー（１１０）にエラーがあったと判断するとともに、故障が想定されるエラー検出信号として、エラー検出信号Ａを出力するように、エラー検出手段（２６０）を形成する。そうすると、ホッパー（１１０）におけるエラーの態様をより詳しく検出できるのである。
【００４０】
また、前記エラー検出手段（２６０）は、払出命令信号があり、かつ、払出検出信号があり、かつ、駆動検出信号がなく、かつ、直前検出信号があるときに、故障が想定されるエラー検出信号として、エラー検出信号Ｂを出力するように形成することができる。
すなわち、払出命令信号があり、かつ、払出検出信号があり、かつ、駆動検出信号がなく、かつ、直前検出信号があると、ホッパー（１１０）は異常である。この場合、特に、駆動検出手段（１４０）の故障の可能性がある。そこで、払出命令信号があり、かつ、払出検出信号があり、かつ、駆動検出信号がなく、かつ、直前検出信号があるときに、ホッパー（１１０）にエラーがあったと判断するとともに、故障が想定されるエラー検出信号として、エラー検出信号Ｂを出力するように、エラー検出手段（２６０）を形成する。そうすると、ホッパー（１１０）におけるエラーの態様をより詳しく検出できるのである。
【００４１】
また、前記エラー検出手段（２６０）は、払出命令信号があり、かつ、払出検出信号があり、かつ、駆動検出信号がなく、かつ、直前検出信号がないときに、故障が想定されるエラー検出信号として、エラー検出信号Ｃを出力するように形成することができる。
すなわち、払出命令信号があり、かつ、払出検出信号があり、かつ、駆動検出信号がなく、かつ、直前検出信号がないと、ホッパー（１１０）は異常である。この場合、特に、駆動検出手段（１４０）及び直前検出手段（１２０）の故障の可能性がある。そこで、払出命令信号があり、かつ、払出検出信号があり、かつ、駆動検出信号がなく、かつ、直前検出信号がないときに、ホッパー（１１０）にエラーがあったと判断するとともに、故障が想定されるエラー検出信号として、エラー検出信号Ｃを出力するように、エラー検出手段（２６０）を形成する。そうすると、ホッパー（１１０）におけるエラーの態様をより詳しく検出できるのである。
【００４２】
また、前記エラー検出手段（２６０）は、払出命令信号があり、かつ、払出検出信号がなく、かつ、駆動検出信号があり、かつ、直前検出信号があるときに、故障が想定されるエラー検出信号として、エラー検出信号Ｄを出力するように形成することができる。
すなわち、払出命令信号があり、かつ、払出検出信号がなく、かつ、駆動検出信号があり、かつ、直前検出信号があると、ホッパー（１１０）は異常である。この場合、特に、払出検出手段（１３０）の故障の可能性がある。そこで、払出命令信号があり、かつ、払出検出信号がなく、かつ、駆動検出信号があり、かつ、直前検出信号があるときに、ホッパー（１１０）にエラーがあったと判断するとともに、故障が想定されるエラー検出信号として、エラー検出信号Ｄを出力するように、エラー検出手段（２６０）を形成する。そうすると、ホッパー（１１０）におけるエラーの態様をより詳しく検出できるのである。
【００４３】
また、前記エラー検出手段（２６０）は、払出命令信号があり、かつ、払出検出信号がなく、かつ、駆動検出信号があり、かつ、直前検出信号がないときに、ホッパー（１１０）内のメダル切れを示すエラー検出信号として、エラー検出信号Ｅを出力するように形成することができる。
すなわち、払出命令信号があり、かつ、払出検出信号がなく、かつ、駆動検出信号があり、かつ、直前検出信号がないと、ホッパー（１１０）内のメダル切れが想定される。そこで、払出命令信号があり、かつ、払出検出信号がなく、かつ、駆動検出信号があり、かつ、直前検出信号がないときに、ホッパー（１１０）内のメダル切れと判断するとともに、ホッパー（１１０）内のメダル切れを示すエラー検出信号として、エラー検出信号Ｅを出力するように、エラー検出手段（２６０）を形成する。そうすると、ホッパー（１１０）におけるエラーの態様をより詳しく検出できるのである。
【００４４】
また、前記エラー検出手段（２６０）は、払出命令信号があり、かつ、払出検出信号がなく、かつ、駆動検出信号がなく、かつ、直前検出信号があるときに、故障が想定されるエラー検出信号として、エラー検出信号Ｆを出力するように形成することができる。
すなわち、払出命令信号があり、かつ、払出検出信号がなく、かつ、駆動検出信号がなく、かつ、直前検出信号があると、ホッパー（１１０）は異常である。この場合、特に、払出モータ（１５４）の故障の可能性がある。そこで、払出命令信号があり、かつ、払出検出信号がなく、かつ、駆動検出信号がなく、かつ、直前検出信号があるときに、ホッパー（１１０）にエラーがあったと判断するとともに、故障が想定されるエラー検出信号として、エラー検出信号Ｆを出力するように、エラー検出手段（２６０）を形成する。そうすると、ホッパー（１１０）におけるエラーの態様をより詳しく検出できるのである。
【００４５】
また、前記エラー検出手段（２６０）は、払出命令信号があり、かつ、払出検出信号がなく、かつ、駆動検出信号がなく、かつ、直前検出信号がないときに、故障が想定されるエラー検出信号として、エラー検出信号Ｇを出力するように形成することができる。
すなわち、払出命令信号があり、かつ、払出検出信号がなく、かつ、駆動検出信号がなく、かつ、直前検出信号がないと、ホッパー（１１０）は異常である。この場合、特に、払出モータ（１５４）及び直前検出手段（１２０）の故障の可能性がある。そこで、払出命令信号があり、かつ、払出検出信号がなく、かつ、駆動検出信号がなく、かつ、直前検出信号がないときに、ホッパー（１１０）にエラーがあったと判断するとともに、故障が想定されるエラー検出信号として、エラー検出信号Ｇを出力するように、エラー検出手段（２６０）を形成する。そうすると、ホッパー（１１０）におけるエラーの態様をより詳しく検出できるのである。
【００４６】
また、前記エラー検出手段（２６０）は、払出命令信号がなく、かつ、払出検出信号があり、かつ、駆動検出信号があり、かつ、直前検出信号があるときに、不正が想定されるエラー検出信号として、エラー検出信号Ｈを出力するように形成することができる。
すなわち、払出命令信号がなく、かつ、払出検出信号があり、かつ、駆動検出信号があり、かつ、直前検出信号があると、ホッパー（１１０）は異常である。この場合、特に、払出モータ（１５４）を強制的に駆動させる不正が行われた可能性がある。そこで、払出命令信号がなく、かつ、払出検出信号があり、かつ、駆動検出信号があり、かつ、直前検出信号があるときに、ホッパー（１１０）にエラーがあったと判断するとともに、不正が想定されるエラー検出信号として、エラー検出信号Ｈを出力するように、エラー検出手段（２６０）を形成する。そうすると、ホッパー（１１０）におけるエラーの態様をより詳しく検出できるのである。
【００４７】
また、前記エラー検出手段（２６０）は、払出命令信号がなく、かつ、払出検出信号があり、かつ、駆動検出信号があり、かつ、直前検出信号がないときに、不正が想定されるエラー検出信号として、エラー検出信号Ｉを出力するように形成することができる。
すなわち、払出命令信号がなく、かつ、払出検出信号があり、かつ、駆動検出信号があり、かつ、直前検出信号がないと、ホッパー（１１０）は異常である。この場合、特に、直前検出手段（１２０）をマスクした状態で払出モータ（１５４）を強制的に駆動させる不正が行われた可能性がある。そこで、払出命令信号がなく、かつ、払出検出信号があり、かつ、駆動検出信号があり、かつ、直前検出信号がないときに、ホッパー（１１０）にエラーがあったと判断するとともに、不正が想定されるエラー検出信号として、エラー検出信号Ｉを出力するように、エラー検出手段（２６０）を形成する。そうすると、ホッパー（１１０）におけるエラーの態様をより詳しく検出できるのである。
【００４８】
また、前記エラー検出手段（２６０）は、払出命令信号がなく、かつ、払出検出信号があり、かつ、駆動検出信号がなく、かつ、直前検出信号があるときに、不正が想定されるエラー検出信号として、エラー検出信号Ｊを出力するように形成することができる。
すなわち、払出命令信号がなく、かつ、払出検出信号があり、かつ、駆動検出信号がなく、かつ、直前検出信号があると、ホッパー（１１０）は異常である。この場合、特に、駆動検出手段（１４０）をマスクした状態で払出モータ（１５４）を強制的に駆動させる不正が行われた可能性がある。そこで、払出命令信号がなく、かつ、払出検出信号があり、かつ、駆動検出信号がなく、かつ、直前検出信号があるときに、ホッパー（１１０）にエラーがあったと判断するとともに、不正が想定されるエラー検出信号として、エラー検出信号Ｊを出力するように、エラー検出手段（２６０）を形成する。そうすると、ホッパー（１１０）におけるエラーの態様をより詳しく検出できるのである。
【００４９】
また、前記エラー検出手段（２６０）は、払出命令信号がなく、かつ、払出検出信号があり、かつ、駆動検出信号がなく、かつ、直前検出信号がないときに、不正が想定されるエラー検出信号として、エラー検出信号Ｋを出力するように形成することができる。
すなわち、払出命令信号がなく、かつ、払出検出信号があり、かつ、駆動検出信号がなく、かつ、直前検出信号がないと、ホッパー（１１０）は異常である。この場合、特に、駆動検出手段（１４０）及び直前検出手段（１２０）をマスクした状態で払出モータ（１５４）を強制的に駆動させる不正が行われた可能性がある。そこで、払出命令信号がなく、かつ、払出検出信号があり、かつ、駆動検出信号がなく、かつ、直前検出信号がないときに、ホッパー（１１０）にエラーがあったと判断するとともに、不正が想定されるエラー検出信号として、エラー検出信号Ｋを出力するように、エラー検出手段（２６０）を形成する。そうすると、ホッパー（１１０）におけるエラーの態様をより詳しく検出できるのである。
【００５０】
また、前記エラー検出手段（２６０）は、払出命令信号がなく、かつ、払出検出信号がなく、かつ、駆動検出信号があり、かつ、直前検出信号があるときに、不正が想定されるエラー検出信号として、エラー検出信号Ｌを出力するように形成することができる。
すなわち、払出命令信号がなく、かつ、払出検出信号がなく、かつ、駆動検出信号があり、かつ、直前検出信号があると、ホッパー（１１０）は異常である。この場合、特に、払出検出手段（１３０）をマスクした状態で払出モータ（１５４）を強制的に駆動させる不正が行われた可能性がある。そこで、払出命令信号がなく、かつ、払出検出信号がなく、かつ、駆動検出信号があり、かつ、直前検出信号があるときに、ホッパー（１１０）にエラーがあったと判断するとともに、不正が想定されるエラー検出信号として、エラー検出信号Ｌを出力するように、エラー検出手段（２６０）を形成する。そうすると、ホッパー（１１０）におけるエラーの態様をより詳しく検出できるのである。
【００５１】
また、前記エラー検出手段（２６０）は、払出命令信号がなく、かつ、払出検出信号がなく、かつ、駆動検出信号があり、かつ、直前検出信号がないときに、不正が想定されるエラー検出信号として、エラー検出信号Ｍを出力するように形成することができる。
すなわち、払出命令信号がなく、かつ、払出検出信号がなく、かつ、駆動検出信号があり、かつ、直前検出信号がないと、ホッパー（１１０）は異常である。この場合、特に、払出検出手段（１３０）及び直前検出手段（１２０）をマスクした状態で払出モータ（１５４）を強制的に駆動させる不正が行われた可能性がある。そこで、払出命令信号がなく、かつ、払出検出信号がなく、かつ、駆動検出信号があり、かつ、直前検出信号がないときに、ホッパー（１１０）にエラーがあったと判断するとともに、不正が想定されるエラー検出信号として、エラー検出信号Ｍを出力するように、エラー検出手段（２６０）を形成する。そうすると、ホッパー（１１０）におけるエラーの態様をより詳しく検出できるのである。
【００５２】
また、前記エラー検出手段（２６０）は、払出命令信号がなく、かつ、払出検出信号がなく、かつ、駆動検出信号がなく、かつ、直前検出信号がないときに、ホッパー（１１０）内のメダル切れを示すエラー検出信号として、エラー検出信号Ｎを出力するように形成することができる。
すなわち、払出命令信号がなく、かつ、払出検出信号がなく、かつ、駆動検出信号がなく、かつ、直前検出信号がないと、ホッパー（１１０）内のメダル切れが想定される。そこで、払出命令信号がなく、かつ、払出検出信号がなく、かつ、駆動検出信号がなく、かつ、直前検出信号がないときに、ホッパー（１１０）内のメダル切れと判断するとともに、ホッパー（１１０）内のメダル切れを示すエラー検出信号として、エラー検出信号Ｎを出力するように、エラー検出手段（２６０）を形成する。そうすると、ホッパー（１１０）におけるエラーの態様をより詳しく検出できるのである。
【００５３】
また、前記エラー対応手段（２７０）は、エラー検出信号の種類によって、エラー対応の態様を変更するように形成することができる。
ここで、第１エラー検出信号、第２エラー検出信号、又は第３エラー検出信号の出力があったときには、故障が想定され、第４エラー検出信号、第５エラー検出信号、又は第６エラー検出信号の出力があったときには、不正が想定される。このため、例えば、第１エラー検出信号、第２エラー検出信号、又は第３エラー検出信号の出力があったときには、エラー対応として、所定の表示装置に「故障」の文字を表示し、第４エラー検出信号、第５エラー検出信号、又は第６エラー検出信号の出力があったときには、エラー対応として、所定の表示装置に「不正」の文字を表示することができる。
【００５４】
また、エラー検出信号Ａ、エラー検出信号Ｂ、エラー検出信号Ｃ、エラー検出信号Ｄ、エラー検出信号Ｆ、又はエラー検出信号Ｇの出力があったときには、故障が想定され、エラー検出信号Ｅ、又はエラー検出信号Ｎの出力があったときには、ホッパー（１１０）内のメダル切れが想定され、エラー検出信号Ｈ、エラー検出信号Ｉ、エラー検出信号Ｊ、エラー検出信号Ｋ、エラー検出信号Ｌ、又はエラー検出信号Ｍの出力があったときには、不正が想定される。このため、例えば、エラー検出信号Ａ、エラー検出信号Ｂ、エラー検出信号Ｃ、エラー検出信号Ｄ、エラー検出信号Ｆ、又はエラー検出信号Ｇの出力があったときには、エラー対応として、所定の表示装置に「故障」の文字を表示し、エラー検出信号Ｅ、又はエラー検出信号Ｎの出力があったときには、エラー対応として、所定の表示装置に「メダル切れ」の文字を表示し、エラー検出信号Ｈ、エラー検出信号Ｉ、エラー検出信号Ｊ、エラー検出信号Ｋ、エラー検出信号Ｌ、又はエラー検出信号Ｍの出力があったときには、エラー対応として、所定の表示装置に「不正」の文字を表示することができる。
【００５５】
そうすると、エラー検出信号の種類によってエラー対応の態様を変更することにより、エラーの態様に応じたエラー対応を行うことができるので、メダルの不正な払い出しをより効果的に防止できるのである。
（請求項３）
請求項３記載の発明は、メダル払出装置（１００）を用いたスロットマシン（１０）に係るものである。すなわち、周囲に複数の図柄が表示されている回転リール（４０）と、メダルを払い出すためのホッパー（１１０）と、スロットマシン（１０）を制御するための制御装置（２０）とを備え、前記制御装置（２０）は、抽選を行うための抽選手段（２１０）と、抽選手段（２１０）の抽選結果に基づいて回転リール（４０）の停止制御を行うための停止制御手段（２２０）と、すべての回転リール（４０）の回転が停止した際における図柄の停止位置によって入賞か否かの判定を行うための入賞判定手段（２４０）と、ホッパー（１１０）におけるメダルの払い出しの制御を行うための払出制御手段（２５０）と、ホッパー（１１０）におけるエラーを検出するためのエラー検出手段（２６０）と、ホッパー（１１０）におけるエラーに対応した措置であるエラー対応を行うためのエラー対応手段（２７０）とを備え、前記払出制御手段（２５０）は、払出命令信号を出力してホッパー（１１０）におけるメダルの払い出しの制御を行うように形成され、前記ホッパー（１１０）は、メダルの払い出しを検出して払出検出信号を出力するための払出検出手段（１３０）と、ホッパー（１１０）の駆動を検出して駆動検出信号を出力するための駆動検出手段（１４０）とを備え、前記エラー検出手段（２６０）は、払出命令信号と、払出検出信号と、駆動検出信号とを照合して、ホッパー（１１０）におけるエラーの検出を行うとともに、ホッパー（１１０）におけるエラーを検出すると、エラー検出信号を出力するように形成され、前記エラー対応手段（２７０）は、エラー検出信号の出力があると、所定のエラー対応を行うように形成されていることを特徴とする。
【００５６】
すなわち、本発明に係るスロットマシン（１０）は、請求項１記載のメダル払出装置（１００）を用いたものである。
本発明によれば、払出命令信号と、払出検出信号と、駆動検出信号との照合により、ホッパー（１１０）におけるエラーを検出できる。そして、ホッパー（１１０）におけるエラーが検出されると、所定のエラー対応が行われることから、メダルの不正な払い出しを防止できるのである。
【００５７】
（請求項４）
請求項４記載の発明は、請求項３記載のメダル払出装置（１００）を用いたスロットマシン（１０）を限定したものである。すなわち、前記ホッパー（１１０）は、払い出し直前の位置にあるメダルを検出して直前検出信号を出力するための直前検出手段（１２０）を備え、前記エラー検出手段（２６０）は、払出命令信号と、払出検出信号と、駆動検出信号とを照合して、ホッパー（１１０）におけるエラーの検出を行うように形成されていることを特徴とする。
【００５８】
請求項２４記載の発明では、ホッパー（１１０）は、払出検出手段（１３０）と、駆動検出手段（１４０）とを備え、エラー検出手段（２６０）は、払出命令信号と、払出検出信号と、駆動検出信号とを照合して、エラーの検出を行うとしたが、本発明では、ホッパー（１１０）は、払出検出手段（１３０）と、駆動検出手段（１４０）と、直前検出手段（１２０）とを備え、エラー検出手段（２６０）は、払出命令信号と、払出検出信号と、駆動検出信号と、直前検出信号とを照合して、エラーの検出を行うのである。
【００５９】
本発明によれば、払出命令信号と、払出検出信号と、駆動検出信号と、直前検出信号とを照合してエラーの検出を行うことから、ホッパー（１１０）にエラーあった旨をより確実に検出できるので、メダルの不正な払い出しをより確実に防止できるのである。
（請求項５）
請求項５記載の発明は、請求項３又は４記載のメダル払出装置（１００）を用いたスロットマシン（１０）を限定したものである。すなわち、前記エラー対応手段（２７０）は、エラー対応として、スピーカ（７８）から特定のエラー音を出力するように形成されていることを特徴とする。
【００６０】
本発明によれば、エラー対応として、スピーカ（７８）から特定のエラー音が出力される。このため、ホッパー（１１０）にエラーがあった旨が目立つので、メダルの不正な払い出しをより効果的に防止できるのである。
（請求項６）
請求項６記載の発明は、請求項３ないし５記載のメダル払出装置（１００）を用いたスロットマシン（１０）を限定したものである。すなわち、前記エラー対応手段（２７０）は、エラー対応として、スロットマシン（１０）の前面に設けた表示装置に特定のエラー表示を行うように形成されていることを特徴とする。
【００６１】
ここで、「スロットマシン（１０）の前面に設けた表示装置」としては、例えば、スロットマシン（１０）の前面上部に設けた演出用ランプ（７７）や、図柄表示窓（７２）の下方に設けた７セグメントＬＥＤや、図柄表示窓（７２）の脇に設けた液晶ディスプレイ（７９）や、回転リール（４０）の前方に設けたＥＬパネルなどを用いることができる。
【００６２】
また、「特定のエラー表示」としては、例えば、演出用ランプ（７７）を特定のパターンで点滅させたり、７セグメントＬＥＤに「Ｅ」の文字を点滅表示させたり、あるいは液晶ディスプレイ（７９）やＥＬパネルに「ＥＲＲＯＲ」の文字を点滅表示させることができる。
本発明によれば、エラー対応として、表示装置に特定のエラー表示が行われる。このため、ホッパー（１１０）にエラーがあった旨が目立つので、メダルの不正な払い出しをより効果的に防止できるのである。
【００６３】
（請求項７）
請求項７記載の発明は、請求項３ないし６記載のメダル払出装置（１００）を用いたスロットマシン（１０）を限定したものである。すなわち、前記エラー対応手段（２７０）は、エラー対応として、ホッパー（１１０）の駆動を停止させるように形成されていることを特徴とする。
【００６４】
ここで、ホッパー（１１０）の駆動の停止は、例えば、払出モータ（１５４）の駆動の停止によって行うこともできるし、また、回転ディスク（１５２）の回転の停止によって行うこともできる。また、払出モータ（１５４）の駆動の停止は、例えば、払出モータ（１５４）の駆動電流を停止することによって行うことができる。また、回転ディスク（１５２）の回転の停止は、例えば、回転ディスク（１５２）をロック機構で機械的にロックすることによって行うことができる。
【００６５】
本発明によれば、エラー対応として、ホッパー（１１０）の駆動が停止する。このため、メダルの不正な払い出しをより効果的に防止できるのである。
【００６６】
【発明の実施の形態】
（第１の実施の形態）
（図面の説明）
図１ないし図１４は、本発明の第１の実施の形態を示すものである。
図１は、メダル払出装置１００を用いたスロットマシン１０のブロック図、図２は、メダル払出装置１００を用いたスロットマシン１０の正面図、図３は、ホッパー１１０の分解斜視図、図４は、ホッパー１１０の側面図、図５は、ホッパー１１０の要部平面図、図６ないし図１３は、払出命令信号、駆動検出信号、及び払出検出信号のタイムチャート、図１４は、エラー検出手段２６０におけるエラー検出のパターンを示す概念図である。
【００６７】
（スロットマシン１０）
図２に示すように、スロットマシン１０は、四角箱状の筐体７０を備えている。また、筐体７０の内部には、３個の回転リール４０が横並びに設けられている。また、筐体７０の前面には、前面パネル７１が設けられ、また、前面パネル７１のほぼ中央には、図柄表示窓７２が設けられている。
【００６８】
また、図柄表示窓７２は、３個の回転リール４０の前方に設けられており、３個すべての回転リール４０の回転が停止した際には、縦３列横３行に配列した合計９個の図柄を表示可能に形成されている。
具体的には、左側の回転リール４０の周囲には合計２１個の図柄が表示されているが、左側の回転リール４０の回転が停止した際には、２１個の図柄のうちの３個が図柄表示窓７２を通して視認可能となる。すなわち、左側の回転リール４０の回転が停止すると、図柄表示窓７２の左側部分には、３個の図柄が縦並びに表示される。中央の回転リール４０及び右側の回転リール４０についても同様である。これにより、３個すべての回転リール４０の回転が停止すると、図柄表示窓７２には、縦３列横３行に配列した合計９個の図柄が表示される。また、図柄表示窓７２に表示される縦３列横３行の図柄の配列パターンは、「出目」などと呼ばれる。
【００６９】
また、図柄表示窓７２の下方には、貯留メダルを投入するためのベットスイッチ７４や、貯留メダルを払い出すための精算スイッチ７５や、回転リール４０の回転を開始させるためのスタートスイッチ５０や、回転リール４０の回転を停止させるためのストップスイッチ６０などが設けられている。
また、図柄表示窓７２の右方には、液晶ディスプレイ７９が設けられ、また、スロットマシン１０の前面上部には、演出用ランプ７７が設けられ、また、スロットマシン１０の前面下部には、スピーカ７８が設けられている。
【００７０】
また、スロットマシン１０の筐体７０の内部には、制御装置２０やホッパー１１０などが備えられている。
（制御装置２０）
制御装置２０は、スロットマシン１０を制御するためのものであって、ＣＰＵ、ＲＡＭ、ＲＯＭ、及びＩ／Ｏなどを備えている。
【００７１】
また、この制御装置２０の入力手段としては、図１に示すように、例えば、スタートスイッチ５０、ストップスイッチ６０、投入スイッチ７３、ベットスイッチ７４、精算スイッチ７５、払出検出手段１３０、及び駆動検出手段１４０などがある。
また、この制御装置２０の出力手段としては、図１に示すように、例えば、リール装置３０、ホッパー１１０、演出用ランプ７７、スピーカ７８、及び液晶ディスプレイ７９などがある。
【００７２】
また、この制御装置２０は、ＣＰＵがＲＯＭに記憶されたプログラムを実行することにより、図１に示すように、例えば、遊技制御手段２００、抽選手段２１０、停止制御手段２２０、入賞判定手段２４０、払出制御手段２５０、エラー検出手段２６０、エラー対応手段２７０、及び演出制御手段２８０などとして機能する。
（スタートスイッチ５０）
スタートスイッチ５０は、各回転リール４０の回転を開始させるためのものであって、図２に示すように、図柄表示窓７２の左斜め下方に設けられている。そして、このスタートスイッチ５０を操作すると、３個すべての回転リール４０の回転が開始する。
【００７３】
（ストップスイッチ６０）
ストップスイッチ６０は、各回転リール４０の回転を停止させるためのものであって、図２に示すように、各回転リール４０の下方に１個ずつ設けられている。そして、左側の回転リール４０の下方に設けられているストップスイッチ６０を操作すると、左側の回転リール４０の回転が停止し、中央の回転リール４０の下方に設けられているストップスイッチ６０を操作すると、中央の回転リール４０の回転が停止し、右側の回転リール４０の下方に設けられているストップスイッチ６０を操作すると、右側の回転リール４０の回転が停止する。
【００７４】
（投入スイッチ７３）
投入スイッチ７３は、投入されたメダルを検知するためのものであって、筐体７０の内部に設けられている。
（ベットスイッチ７４）
ベットスイッチ７４は、貯留されているメダルの枚数を減じてメダルの投入に代えるためのものであって、図２に示すように、図柄表示窓７２の左斜め下方に設けられている。
【００７５】
（精算スイッチ７５）
精算スイッチ７５は、貯留されているメダルを払い出すためのものであって、図２に示すように、図柄表示窓７２の左斜め下方に設けられている。
（リール装置３０）
リール装置３０は、枠体と、この枠体に横並びに固定した３個のステッピングモータと、各ステッピングモータそれぞれの出力軸に固定した回転リール４０と、各回転リール４０それぞれの内側に設けたバックライトとから構成されている。
【００７６】
また、図示しないが、各回転リール４０の周囲には、「７」「ＢＡＲ」「プラム」「ベル」「チェリー」「Ｒｅｐｌａｙ」などの複数種類の図柄が、所定の配列で、合計２１個表示されている。
（メダル払出装置１００）
メダル払出装置１００は、図１に示すように、メダルを払い出すためのホッパー１１０と、ホッパー１１０におけるメダルの払い出しの制御を行うための払出制御手段２５０と、ホッパー１１０におけるエラーを検出するためのエラー検出手段２６０と、ホッパー１１０におけるエラーに対応した措置であるエラー対応を行うためのエラー対応手段２７０とを備えている。
【００７７】
（ホッパー１１０）
ホッパー１１０は、メダル払出装置１００を構成するものであって、メダルを払い出すためのものである。
このホッパー１１０は、スロットマシン１０の筐体７０の内部に設けられている。
また、このホッパー１１０は、図３ないし図５に示すように、フレーム１５０と、このフレーム１５０に斜めに固定した平板状のベース板１５１と、このベース板１５１の表面に回転可能に取り付けた円盤状の回転ディスク１５２と、ベース板１５１の表面に取り付けた箱型のメダルタンク１５５と、ベース板１５１の裏面に取り付けた払出モータ１５４とを備えるとともに、メダルの払い出しを検出するための払出検出手段１３０と、ホッパー１１０の駆動を検出するための駆動検出手段１４０とを備えている。
【００７８】
また、このホッパー１１０の所定位置には、図３ないし図５に示すように、メダルを払い出すためのメダル排出口１５６が設けられている。
また、回転ディスク１５２には、８つのメダル穴１５３が、円周方向に一定間隔をもって設けられている。また、各メダル穴１５３は、ほぼ円形に形成されており、かつ、回転ディスク１５２の表面から裏面まで貫通するように形成されており、かつ、メダルを収納可能に形成されている。
【００７９】
また、払出モータ１５４の駆動軸は、減速機構を介して、回転ディスク１５２の中心に取り付けられている。そして、払出モータ１５４が駆動すると、回転ディスク１５２が回転するようになっている。
また、ベース板１５１の所定位置には、ベース板１５１の表面から裏面まで貫通する四角形の四角穴１５８が設けられている。
【００８０】
また、メダル排出口１５６の近辺であって、かつ、各メダル穴１５３の軌道上であって、かつ、ベース板１５１の表面には、２つのガイドピン１５７が設けられている。また、各ガイドピン１５７は、ベース板１５１の表面から突出しているものの、回転ディスク１５２には接触しないようになっている。
また、メダル排出口１５６の近辺であって、かつ、ベース板１５１の裏面には、Ｌ字形の払出アーム１５９が取り付けられている。この払出アーム１５９は、その一端を、ベース板１５１の所定位置に設けた回動軸１６０によって軸支されている。このため、この払出アーム１５９は、回動軸１６０を中心にベース板１５１に対して回動可能とされている。また、この払出アーム１５９は、ベース板１５１の裏面に設けた払出バネ１６２によって一定方向に付勢されている。また、この払出アーム１５９の回動軸１６０とは反対側の端部には、遮光部１６１が設けられている。この遮光部１６１は、払出検出手段１３０を構成するフォトセンサ１３１の発光部から発射された光を遮るためのものである。また、この払出アーム１５９の折曲部には、円柱状の可動払出ローラー１６３が取り付けられている。この可動払出ローラー１６３は、四角穴１５８を介して、ベース板１５１の表面側に突出している。そして、払出アーム１５９が回動すると、可動払出ローラー１６３が揺動するようになっている。このため、この可動払出ローラー１６３が揺動すると、払出アーム１５９が回動することとなる。また、可動払出ローラー１６３に隣接して、円柱状の固定払出ローラー１６４が設けられている。
【００８１】
そして、払出制御手段２５０から払出命令信号が出力されると、払出モータ１５４が駆動して、回転ディスク１５２が時計回りに回転する。また、メダル穴１５３に収納されたメダルは、回転ディスク１５２の回転に伴って時計回りに移動し、メダル排出口１５６近辺に差し掛かると、２つのガイドピン１５７に当接して、メダル排出口１５６方向へ押し出されるように移動する。更に回転ディスク１５２が回転すると、メダル排出口１５６方向へ移動したメダルは、固定払出ローラー１６４と可動払出ローラー１６３とに圧接する。更に回転ディスク１５２が回転すると、固定払出ローラー１６４と可動払出ローラー１６３とに圧接したメダルは、可動払出ローラー１６３を押し退けるようにして揺動させ、その後に、メダル排出口１５６から飛び出すようにして払い出される。
【００８２】
なお、払出制御手段２５０からの払出命令信号がなければ、払出モータ１５４は駆動せず、回転ディスク１５２も回転しないので、通常は、ホッパー１１０のメダル排出口１５６からメダルが払い出されることはない。
（払出検出手段１３０）
払出検出手段１３０は、メダルの払い出しを検出して、払出検出信号を出力するためのものである。
【００８３】
図５に示すように、ベース板１５１の裏面の所定位置には、払出検出手段１３０を構成するフォトセンサ１３１が設けられている。
また、フォトセンサ１３１は、発光部と受光部とを有している。そして、メダル排出口１５６からのメダルの払い出しがないときには、発光部から発射された光が受光部に届くようにしているとともに、メダル排出口１５６からメダルが払い出されるときには、可動払出ローラー１６３の揺動に伴って払出アーム１５９が回動して、発光部と受光部との間に払出アーム１５９の遮光部１６１が位置することにより、発光部から発射された光が受光部には届かなくなるようにしている。
【００８４】
また、フォトセンサ１３１は、発光部から発射された光が受光部に届いているときには、出力端子からＬｏレベルの信号を出力し、発光部から発射された光が受光部に届かないときには、出力端子からＨｉレベルの信号を出力するようになっている。
これにより、本実施の形態では、フォトセンサ１３１の出力端子から出力されるＨｉレベルの信号を、払出検出信号としているのである。
【００８５】
なお、払出検出手段１３０は、メダル排出口１５６からのメダルの払い出しを検出すると、その払い出しが正常に行われたものであるか否かにかかわらず、払出検出信号を出力する。言い換えれば、払出検出手段１３０は、メダル排出口１５６からのメダルの払い出しを検出すると、その払い出しがたとえ不正に行われたものであっても、払出検出信号を出力する。
【００８６】
具体的には、例えば、入賞判定手段２４０が入賞の判定を行い、これを受けて、払出制御手段２５０が払出命令信号を出力したとする。更に、この払出命令信号を受けて、払出モータ１５４が駆動し、回転ディスク１５２が回転して、メダル排出口１５６からメダルが払い出されたとする。このような場合、払出検出手段１３０は、メダル排出口１５６からのメダルの払い出しを検出して、払出検出信号を出力する。
【００８７】
また、例えば、払出モータ１５４の配線がショートさせられ、払出制御手段２５０からの払出命令信号がないにもかかわらず、払出モータ１５４が強制的に駆動させられて、メダル排出口１５６からメダルの払い出しが行われたとする。このような場合であっても、払出検出手段１３０は、メダル排出口１５６からのメダルの払い出しを検出して、払出検出信号を出力する。
【００８８】
（駆動検出手段１４０）
駆動検出手段１４０は、ホッパー１１０の駆動を検出して、駆動検出信号を出力するためのものである。
本実施の形態では、ホッパー１１０の駆動の検出は、回転ディスク１５２の回転の検出によって行う。また、回転ディスク１５２の回転の検出は、回転ディスク１５２の周囲に複数の検出用チップ１４１を設けて、回転ディスク１５２の回転に伴うこれらの検出用チップ１４１の通過を、チップ検出センサ１４２で検出することによって行う。
【００８９】
具体的には、図５に示すように、回転ディスク１５２の周囲には、８つの検出用チップ１４１が等間隔で設けられている。また、各検出用チップ１４１は、各メダル穴１５３に対応する位置に設けられている。
また、図５に示すように、ベース板１５１の表面の所定位置には、検出用チップ１４１を検出するためのチップ検出センサ１４２が設けられている。そして、回転ディスク１５２が回転すると、各検出用チップ１４１が次々とチップ検出センサ１４２の近くを通過するようになっている。
【００９０】
また、チップ検出センサ１４２は、いずれかの検出用チップ１４１がその近くを通過すると、出力端子からＨｉレベルの信号を出力し、それ以外のときには、出力端子からＬｏレベルの信号を出力するようになっている。
これにより、本実施の形態では、チップ検出センサ１４２の出力端子から出力されるＨｉレベルの信号を、駆動検出信号としているのである。
【００９１】
なお、駆動検出手段１４０は、ホッパー１１０の駆動を検出すると、その駆動が正常に行われたものであるか否かにかかわらず、駆動検出信号を出力する。言い換えれば、駆動検出手段１４０は、ホッパー１１０の駆動を検出すると、その駆動がたとえ不正に行われたものであっても、駆動検出信号を出力する。
（演出用ランプ７７）
演出用ランプ７７は、遊技者に当選又は入賞などを知らせるためのものであって、図２に示すように、スロットマシン１０の前面上部に設けられている。
【００９２】
（スピーカ７８）
スピーカ７８は、遊技者に当選又は入賞などを知らせるためのものであって、図２に示すように、スロットマシン１０の前面下部に設けられている。
（液晶ディスプレイ７９）
液晶ディスプレイ７９は、遊技者に当選又は入賞などを知らせるためのものであって、図２に示すように、図柄表示窓７２の右方に設けられている。
【００９３】
（遊技制御手段２００）
遊技制御手段２００は、遊技を制御するためのものである。
以下、スロットマシン１０における遊技について説明する。
メダルを投入すると、メダルの投入枚数に応じた本数の入賞ラインが有効になる。ここで、メダルの投入には、メダル投入口からのメダルの投入、及びベットスイッチ７４の操作によるメダルの投入の双方が含まれる。また、メダルの投入を条件に、スタートスイッチ５０を操作すると、抽選手段２１０により抽選が行われるとともに、３個すべての回転リール４０の回転が開始する。その後に、３個のストップスイッチ６０のうちの１個を操作すると、当該ストップスイッチ６０に対応した回転リール４０の回転が停止する。そして、３個すべてのストップスイッチ６０を操作し終えると、３個すべての回転リール４０の回転が停止する。このとき、所定の図柄が有効な入賞ライン上に揃うと、入賞となる。そして、入賞態様に応じた枚数のメダルが、クレジットされるか、又はメダル払出口から払い出される。また、メダルの払い出しに代えて、あるいはメダルの払い出しとともに、遊技者に対して所定の利益が付与されることもある。
【００９４】
また、回転リール４０の停止制御は、以下に示すようにして行われる。
まず、抽選手段２１０の抽選結果に基づいて、複数の停止テーブル２３０の中から一の停止テーブル２３０が選択される。次に、選択された一の停止テーブル２３０と、ストップスイッチ６０が操作されたときの回転リール４０の回転位置とから、回転リール４０の滑りコマ数が決定される。そして、決定された滑りコマ数分だけ回転リール４０が回転し、そこで回転リール４０の回転が停止する。
【００９５】
また、抽選手段２１０の抽選結果には、特定導入遊技当選（ビッグボーナス当選／ＢＢ当選）と、特定遊技当選（レギュラーボーナス当選／ＲＢ当選）と、第１小役当選と、第２小役当選と、第３小役当選と、再遊技当選（Ｒｅｐｌａｙ当選）と、ハズレとがある。
また、入賞には、特定導入遊技（ビッグボーナスゲーム／ＢＢゲーム）への移行に係る特定導入遊技入賞（ビッグボーナス入賞／ＢＢ入賞）と、特定遊技（レギュラーボーナスゲーム／ＲＢゲーム）への移行に係る特定遊技入賞（レギュラーボーナス入賞／ＲＢ入賞）と、所定枚数（例えば１２枚）のメダルの払い出しに係る第１小役入賞と、この第１小役入賞よりも少ない枚数（例えば８枚）のメダルの払い出しに係る第２小役入賞と、この第２小役入賞よりも少ない枚数（例えば２枚又は４枚）のメダルの払い出しに係る第３小役入賞と、再遊技（Ｒｅｐｌａｙ）の実行に係る再遊技入賞（Ｒｅｐｌａｙ入賞）とがある。
【００９６】
なお、ＲＢゲームとは、特定入賞遊技（ＪＡＣゲーム）を複数回行い得ることにより、通常遊技よりも当選確率が高い遊技をいい、また、ＢＢゲームとは、ＲＢゲームの導入確率が高い遊技をいう。
そして、例えば、「７」の図柄が有効な入賞ライン上に３個揃うと、ＢＢ入賞となり、払い出しがある場合にはメダルが払い出されて、ＢＢゲームが実行される。
【００９７】
また、例えば、「プラム」の図柄が有効な入賞ライン上に３個揃うと、第１小役入賞となり、１２枚のメダルが払い出される。
また、例えば、「ベル」の図柄が有効な入賞ライン上に３個揃うと、第２小役入賞となり、８枚のメダルが払い出される。
また、例えば、左側の回転リール４０に表示されている「チェリー」の図柄が有効な入賞ライン上に停止すると、中央及び右側の回転リール４０に表示されている図柄の停止位置にかかわらず、第３小役入賞となり、２枚のメダルが払い出される。なお、メダルの投入枚数が３枚であり、かつ、「チェリー」の図柄の停止位置が図柄表示窓７２の上段又は下段であれば、４枚のメダルが払い出される。
【００９８】
また、例えば、「Ｒｅｐｌａｙ」の図柄が有効な入賞ライン上に３個揃うと、Ｒｅｐｌａｙ入賞となり、新たなメダルを投入することなく、前回の遊技と同じ条件で再度遊技を行うことができる。
また、抽選手段２１０の抽選結果がＢＢ当選となると、ＢＢ当選に基づいた回転リール４０の停止制御が行われるが、このとき、ＢＢ入賞が引き当てられないと、このＢＢ当選は、ＢＢ入賞が引き当てられるまで持ち越されることとなっている。ＲＢ当選についても同様である。
【００９９】
また、第１小役当選は、抽選結果が第１小役当選となった遊技で第１小役入賞を引き当てられないと、次回の遊技には持ち越されないこととなっている。第２小役当選、第３小役当選、及びＲｅｐｌａｙ当選についても同様である。
（抽選手段２１０）
抽選手段２１０は、抽選を行うためのものである。
【０１００】
この抽選手段２１０は、乱数発生手段、乱数抽出手段、抽選テーブル、及び抽選判定手段を備えている。
また、乱数発生手段は、抽選用の乱数を、所定の範囲内（例えば、１０進数で０〜１６３８３）で発生させるためのものである。
この乱数発生手段は、例えば、発振回路と、この発振回路が発生させたクロック信号をカウントするカウンタ回路とによって構成することができる（いわゆるハード乱数）。
【０１０１】
また、この乱数発生手段は、例えば、平均採中法で乱数を発生させる手段や、あるいは素数の加算によって乱数を発生させる手段によって構成することもできる。また、これらの手段は、例えば、ＣＰＵに所定のプログラムを実行させることによって構成することができる（いわゆるソフト乱数）。
また、乱数抽出手段は、乱数発生手段が発生させた乱数を抽出するためのものである。
【０１０２】
この乱数抽出手段は、乱数発生手段が発生させた乱数を、所定の条件（例えば、スタートスイッチ５０の操作）で抽出する。
なお、乱数発生手段は、カウンタ回路などによって構成されるため、乱数発生手段が発生させる数値は、厳密には乱数ではない。ただ、スタートスイッチ５０が操作されるタイミングは、ランダムであると考えられるため、乱数抽出手段が抽出する数値は、実質的には乱数として取り扱うことができるのである。
【０１０３】
また、抽選テーブルは、乱数発生手段が発生させる全範囲の乱数について、当選か否かをあらかじめ所定の割合で定めたものである。
この抽選テーブルは、乱数発生手段が発生させる全範囲の乱数について、ＢＢ当選にするか、ＲＢ当選にするか、第１小役当選にするか、第２小役当選にするか、第３小役当選にするか、Ｒｅｐｌａｙ当選にするか、あるいはハズレにするかを、あらかじめ所定の割合で定めている。
【０１０４】
また、抽選判定手段は、乱数抽出手段が抽出した乱数と、抽選テーブルとを照合して、抽選結果の判定を行うためのものである。
この抽選判定手段は、乱数抽出手段が抽出した乱数と、抽選テーブルとを照合して、抽選結果が、ＢＢ当選か、ＲＢ当選か、第１小役当選か、第２小役当選か、第３小役当選か、Ｒｅｐｌａｙ当選か、あるいはハズレかを判定する。
【０１０５】
（停止テーブル２３０）
停止テーブル２３０は、図柄の停止位置を決定するためのものであって、ストップスイッチ６０が操作されたときの回転リール４０の回転位置に応じて、回転リール４０の滑りコマ数をあらかじめ定めたものである。
また、停止テーブル２３０は、抽選手段２１０の抽選結果毎に複数備えられている。そして、抽選手段２１０の抽選結果が同一でも、図柄の停止位置が異なることがあるようにしているのである。
【０１０６】
更に、停止テーブル２３０は、ストップスイッチ６０が操作されたときの回転リール４０の回転位置と、回転リール４０の滑りコマ数との関係が異なることがあるように定められている。そして、ストップスイッチ６０が操作されたときの回転リール４０の回転位置が同じでも、図柄の停止位置が異なることがあるようにしているのである。
【０１０７】
（停止制御手段２２０）
停止制御手段２２０は、抽選手段２１０の抽選結果に基づいて、回転リール４０の停止制御を行うためのものである。
この停止制御手段２２０は、まず、抽選手段２１０の抽選結果等に基づいて、複数の停止テーブル２３０の中から一の停止テーブル２３０を選択する。次に、この選択した一の停止テーブル２３０と、ストップスイッチ６０が操作されたときの回転リール４０の回転位置とから、回転リール４０の滑りコマ数を決定する。
【０１０８】
ここで、滑りコマ数が０と決定されれば、直ちに回転リール４０の回転を停止させる。すなわち、滑りコマ数が０と決定されると、ストップスイッチ６０が操作されたときに図柄表示窓７２の上段に表示されていた図柄は、そのまま図柄表示窓７２の上段に停止表示されることとなる。
また、滑りコマ数が１と決定されれば、１コマ分だけ回転リール４０を回転させ、そこで、回転リール４０の回転を停止させる。すなわち、滑りコマ数が１と決定されると、ストップスイッチ６０が操作されたときに図柄表示窓７２の上段に表示されていた図柄は、回転リール４０の回転方向に１コマずれて、図柄表示窓７２の中段に停止表示されることとなる。
【０１０９】
また、滑りコマ数が２と決定されれば、２コマ分だけ回転リール４０を回転させ、そこで、回転リール４０の回転を停止させる。すなわち、滑りコマ数が２と決定されると、ストップスイッチ６０が操作されたときに図柄表示窓７２の上段に表示されていた図柄は、回転リール４０の回転方向に２コマずれて、図柄表示窓７２の下段に停止表示されることとなる。
【０１１０】
なお、上述したような回転リール４０の停止制御は、停止テーブル２３０を用いた制御であることから、「テーブル制御」などと呼ばれるものである。
また、回転リール４０の停止制御は、「テーブル制御」に限定されるものではなく、例えば、「プログラム制御」などと呼ばれる制御としてもよい。
プログラム制御では、まず、抽選手段２１０の抽選結果に対応したフラグが設定される。次に、ストップスイッチ６０が操作されると、このフラグに基づいて、回転リール４０の回転を直ちに停止させるか、１コマ滑らせてから停止させるか、２コマ滑らせてから停止させるか、３コマ滑らせてから停止させるか、あるいは４コマ滑らせてから停止させるかの判断が行われる。そして、直ちに停止させると判断されれば、直ちに回転リール４０の回転が停止する。また、１コマ滑らせてから停止させると判断されれば、１コマ分だけ回転リール４０が回転し、そこで回転リール４０の回転が停止する。また、２コマ滑らせてから停止させると判断されれば、２コマ分だけ回転リール４０が回転し、そこで回転リール４０の回転が停止する。また、３コマ滑らせてから停止させると判断されれば、３コマ分だけ回転リール４０が回転し、そこで回転リール４０の回転が停止する。また、４コマ滑らせてから停止させると判断されれば、４コマ分だけ回転リール４０が回転し、そこで回転リール４０の回転が停止するのである。
【０１１１】
（入賞判定手段２４０）
入賞判定手段２４０は、すべての回転リール４０の回転が停止した際における図柄の停止位置によって入賞か否かの判定を行うためのものである。
具体的には、この入賞判定手段２４０は、「７」の図柄が有効な入賞ライン上に３個揃うと、ＢＢ入賞と判定する。
【０１１２】
また、この入賞判定手段２４０は、「ＢＡＲ」の図柄が有効な入賞ライン上に３個揃うと、ＲＢ入賞と判定する。
また、この入賞判定手段２４０は、「プラム」の図柄が有効な入賞ライン上に３個揃うと、第１小役入賞と判定する。
また、この入賞判定手段２４０は、「ベル」の図柄が有効な入賞ライン上に３個揃うと、第２小役入賞と判定する。
【０１１３】
また、この入賞判定手段２４０は、左側の回転リール４０に表示されている「チェリー」の図柄が有効な入賞ライン上に停止すると、中央及び右側の回転リール４０に表示されている図柄の停止位置にかかわらず、第３小役入賞と判定する。
また、この入賞判定手段２４０は、「Ｒｅｐｌａｙ」の図柄が有効な入賞ライン上に３個揃うと、Ｒｅｐｌａｙ入賞と判定する。
【０１１４】
（払出制御手段２５０）
払出制御手段２５０は、メダル払出装置１００を構成するものであって、ホッパー１１０におけるメダルの払い出しの制御を行うためのものである。
この払出制御手段２５０は、払出命令信号を出力して、ホッパー１１０におけるメダルの払い出しの制御を行う。
【０１１５】
すなわち、この払出制御手段２５０が払出命令信号を出力すると、払出モータ１５４が駆動し、回転ディスク１５２が回転して、ホッパー１１０のメダル排出口１５６からメダルが払い出されるのである。
また、この払出制御手段２５０は、特定導入遊技入賞（ＢＢ入賞）又は特定遊技入賞（ＲＢ入賞）のときには１５枚のメダルを、第１小役入賞のときには１２枚のメダルを、第２小役入賞のときには８枚のメダルを、第３小役入賞のときには２枚又は４枚のメダルを、ホッパー１１０から払い出す。
【０１１６】
（エラー検出手段２６０）
エラー検出手段２６０は、メダル払出装置１００を構成するものであって、ホッパー１１０におけるエラーの検出を行うためのものである。
このエラー検出手段２６０は、払出命令信号と、払出検出信号と、駆動検出信号とを照合して、ホッパー１１０におけるエラーの検出を行うとともに、ホッパー１１０におけるエラーを検出すると、エラー検出信号を出力する。
【０１１７】
具体的には、払出命令信号があり、かつ、払出検出信号があり、かつ、駆動検出信号があれば、ホッパー１１０は正常である。このときの各信号のパターンをタイムチャートに表すと、図６に示すようになる。
また、払出命令信号がなく、かつ、払出検出信号がなく、かつ、駆動検出信号がなくても、ホッパー１１０は正常である。このときの各信号のパターンをタイムチャートに表すと、図１３に示すようになる。
【０１１８】
しかし、払出命令信号があり、かつ、払出検出信号があり、かつ、駆動検出信号がないと、ホッパー１１０は異常である。このときの各信号のパターンをタイムチャートに表すと、図７に示すようになる。この場合、特に、駆動検出手段１４０の故障の可能性がある。このため、このエラー検出手段２６０は、払出命令信号があり、かつ、払出検出信号があり、かつ、駆動検出信号がないときには、ホッパー１１０にエラーがあったと判断するとともに、故障が想定されるエラー検出信号として、第１エラー検出信号を出力する。
【０１１９】
また、払出命令信号があり、かつ、払出検出信号がなく、かつ、駆動検出信号があると、ホッパー１１０は異常である。このときの各信号のパターンをタイムチャートに表すと、図８に示すようになる。この場合、特に、払出検出手段１３０の故障の可能性がある。このため、このエラー検出手段２６０は、払出命令信号があり、かつ、払出検出信号がなく、かつ、駆動検出信号があるときには、ホッパー１１０にエラーがあったと判断するとともに、故障が想定されるエラー検出信号として、第２エラー検出信号を出力する。
【０１２０】
また、払出命令信号があり、かつ、払出検出信号がなく、かつ、駆動検出信号がないと、ホッパー１１０は異常である。このときの各信号のパターンをタイムチャートに表すと、図９に示すようになる。この場合、特に、払出モータ１５４の故障の可能性がある。このため、このエラー検出手段２６０は、払出命令信号があり、かつ、払出検出信号がなく、かつ、駆動検出信号がないときには、ホッパー１１０にエラーがあったと判断するとともに、故障が想定されるエラー検出信号として、第３エラー検出信号を出力する。
【０１２１】
また、払出命令信号がなく、かつ、払出検出信号があり、かつ、駆動検出信号があると、ホッパー１１０は異常である。このときの各信号のパターンをタイムチャートに表すと、図１０に示すようになる。この場合、特に、払出モータ１５４を強制的に駆動させる不正が行われた可能性がある。このため、このエラー検出手段２６０は、払出命令信号がなく、かつ、払出検出信号があり、かつ、駆動検出信号があるときには、ホッパー１１０にエラーがあったと判断するとともに、不正が想定されるエラー検出信号として、第４エラー検出信号を出力する。
【０１２２】
また、払出命令信号がなく、かつ、払出検出信号があり、かつ、駆動検出信号がないと、ホッパー１１０は異常である。このときの各信号のパターンをタイムチャートに表すと、図１１に示すようになる。この場合、特に、駆動検出手段１４０をマスクした状態で払出モータ１５４を強制的に駆動させる不正が行われた可能性がある。このため、このエラー検出手段２６０は、払出命令信号がなく、かつ、払出検出信号があり、かつ、駆動検出信号がないときには、ホッパー１１０にエラーがあったと判断するとともに、不正が想定されるエラー検出信号として、第５エラー検出信号を出力する。
【０１２３】
また、払出命令信号がなく、かつ、払出検出信号がなく、かつ、駆動検出信号があると、ホッパー１１０は異常である。このときの各信号のパターンをタイムチャートに表すと、図１２に示すようになる。この場合、特に、払出検出手段１３０をマスクした状態で払出モータ１５４を強制的に駆動させる不正が行われた可能性がある。このため、このエラー検出手段２６０は、払出命令信号がなく、かつ、払出検出信号がなく、かつ、駆動検出信号があるときには、ホッパー１１０にエラーがあったと判断するとともに、不正が想定されるエラー検出信号として、第６エラー検出信号を出力する。
【０１２４】
これらをまとめると、図１４に示すようになる。
（エラー対応手段２７０）
エラー対応手段２７０は、ホッパー１１０におけるエラーに対応した措置であるエラー対応を行うためのものである。
このエラー対応手段２７０は、エラー検出信号の出力があると、所定のエラー対応を行う。
【０１２５】
また、このエラー対応手段２７０は、エラー検出信号の種類によって、エラー対応の態様を変更する。
具体的には、第１エラー検出信号、第２エラー検出信号、又は第３エラー検出信号の出力があると、故障が想定され、第４エラー検出信号、第５エラー検出信号、又は第６エラー検出信号の出力があると、不正が想定される。
【０１２６】
このため、このエラー対応手段２７０は、第１エラー検出信号、第２エラー検出信号、又は第３エラー検出信号の出力があったときには、エラー対応として、液晶ディスプレイ７９に「故障」の文字を表示し、第４エラー検出信号、第５エラー検出信号、又は第６エラー検出信号の出力があったときには、エラー対応として、液晶ディスプレイ７９に「不正」の文字を表示する。
【０１２７】
更に、このエラー対応手段２７０は、エラー対応として、スピーカ７８から特定のエラー音を出力したり、スロットマシン１０の前面に設けた表示装置に特定のエラー表示を行ったり、ホッパー１１０の駆動を停止させたり、副制御部２２によって制御されている照明を消灯させたり、すべての回転リール４０の回転が停止した後における遊技操作を無効にしたり、主制御部２１から副制御部２２への信号を無効にしたり、スロットマシン１０とホールコンピュータとを接続するための集中端子板へエラー検出信号を送信する。
【０１２８】
また、「表示装置への特定のエラー表示」としては、例えば、７セグメントＬＥＤに「Ｅ」の文字を点滅表示させたり、液晶ディスプレイ７９に「ＥＲＲＯＲ」の文字を点滅表示させることができる。
また、「ホッパー１１０の駆動の停止」は、例えば、払出モータ１５４の駆動の停止によって行うこともできるし、また、回転ディスク１５２の回転の停止によって行うこともできる。また、払出モータ１５４の駆動の停止は、例えば、払出モータ１５４の駆動電流を停止することによって行うことができる。また、回転ディスク１５２の回転の停止は、例えば、回転ディスク１５２をロック機構で機械的にロックすることによって行うことができる。
【０１２９】
また、「副制御部２２によって制御されている照明」としては、例えば、演出用ランプ７７や、回転リール４０の内側に設けたバックライトなどがある。
また、「すべての回転リール４０の回転が停止した後における遊技操作」としては、例えば、次の遊技を開始するために行う、ベットスイッチ７４やスタートスイッチ６０などの操作がある。
【０１３０】
また、「主制御部２１から副制御部２２への信号」としては、例えば、演出に係る信号がある。
また、「ホールコンピュータ」は、スロットマシン１０などの遊技機を管理するために遊技機とは別に設置されるコンピュータであって、集中端子板を介して遊技機と接続されるものである。
【０１３１】
また、「集中端子板」は、スロットマシン１０などの遊技機とホールコンピュータとを接続するためのものである。
また、このエラー対応手段２７０は、各回転リール４０が回転中であっても、エラー検出信号の出力があると、所定のエラー対応を行う。
また、このエラー対応手段２７０は、エラー対応を終了させる操作である「エラー対応終了操作」が行われてから所定の時間（例えば３０秒）を経過すると、エラー対応を終了する。
【０１３２】
また、このエラー対応手段２７０は、抽選手段２１０の設定を変更するための設定変更スイッチと、スロットマシン１０をリセットするためのリセットスイッチとが操作されたことを、「エラー対応終了操作」としている。
なお、このエラー対応手段２７０は、「エラー対応終了操作」が行われると、所定の時間の経過を要することなく、すぐに、エラー対応を終了するように形成することもできる。
【０１３３】
（演出制御手段２８０）
演出制御手段２８０は、演出の制御を行うためのものである。
この演出制御手段２８０は、所定の契機で、演出用ランプ７７を所定のパターンで点滅させたり、スピーカ７８から所定の効果音を出力したり、あるいは液晶ディスプレイ７９に所定の文字又は図柄などを表示し、これにより、遊技者に当選又は入賞などを知らせるのである。
【０１３４】
このように、本実施の形態に係るメダル払出装置１００を用いたスロットマシン１０は、メダルの払い出しを検出して払出検出信号を出力する払出検出手段１３０と、ホッパー１１０の駆動を検出して駆動検出信号を出力する駆動検出手段１４０とを備えるとともに、払出命令信号、払出検出信号、及び駆動検出信号を照合してホッパーにおけるエラーの検出を行うエラー検出手段２６０と、このエラー検出手段２６０がエラーを検出すると所定のエラー対応を行うエラー対応手段２７０とを備えている。このため、払出命令信号と、払出検出信号と、駆動検出信号との照合により、ホッパー１１０におけるエラーを検出でき、更に、ホッパー１１０におけるエラーが検出されると、所定のエラー対応が行われることから、メダルの不正な払い出しを防止できるのである。
【０１３５】
また、本実施の形態に係るメダル払出装置１００を用いたスロットマシン１０では、エラー検出手段２６０は、払出命令信号があり、かつ、払出検出信号があり、かつ、駆動検出信号がないときには、故障が想定されるエラー検出信号として、第１エラー検出信号を出力し、払出命令信号があり、かつ、払出検出信号がなく、かつ、駆動検出信号があるときには、故障が想定されるエラー検出信号として、第２エラー検出信号を出力し、払出命令信号があり、かつ、払出検出信号がなく、かつ、駆動検出信号がないときには、故障が想定されるエラー検出信号として、第３エラー検出信号を出力し、払出命令信号がなく、かつ、払出検出信号があり、かつ、駆動検出信号があるときには、不正が想定されるエラー検出信号として、第４エラー検出信号を出力し、払出命令信号がなく、かつ、払出検出信号があり、かつ、駆動検出信号がないときには、不正が想定されるエラー検出信号として、第５エラー検出信号を出力し、払出命令信号がなく、かつ、払出検出信号がなく、かつ、駆動検出信号があるときには、不正が想定されるエラー検出信号として、第６エラー検出信号を出力する。このため、ホッパー１１０にエラーがあった旨のみならず、ホッパー１１０におけるエラーの態様までも検出できるのである。
【０１３６】
また、本実施の形態に係るメダル払出装置１００を用いたスロットマシン１０では、エラー対応手段２７０は、エラー検出信号の種類によって、エラー対応の態様を変更する。このため、エラーの態様に応じたエラー対応を行うことができるので、メダルの不正な払い出しをより効果的に防止できるのである。
また、本実施の形態に係るメダル払出装置１００を用いたスロットマシン１０では、制御装置２０は、遊技の制御を行うための主制御部２１と、主制御部２１からの信号を受信して演出の制御を行うための副制御部２２とを有し、抽選手段２１０、停止制御手段２２０、入賞判定手段２４０及び払出制御手段２５０は、主制御部２１に備えられ、エラー検出手段２６０及びエラー対応手段２７０は、副制御部２２に備えられている。このため、主制御部２１に負担をかけないようにすることができ、更には、回転リール４０が回転中であっても、エラー検出に係る処理及びエラー対応に係る処理を行うことができるので、メダルの不正な払い出しをより効果的に防止できるのである。
【０１３７】
また、本実施の形態に係るメダル払出装置１００を用いたスロットマシン１０では、エラー対応手段２７０は、各回転リール４０が回転中であっても、エラー検出信号の出力があると、所定のエラー対応を行う。このため、メダルの不正な払い出しをより効果的に防止できるのである。
また、本実施の形態に係るメダル払出装置１００を用いたスロットマシン１０では、エラー対応手段２７０は、エラー対応として、スピーカ７８から特定のエラー音を出力し、スロットマシン１０の前面に設けた表示装置に特定のエラー表示を行い、副制御部２２によって制御されている照明を消灯させる。このため、ホッパー１１０にエラーがあった旨が目立つので、メダルの不正な払い出しをより効果的に防止できるのである。
【０１３８】
また、本実施の形態に係るメダル払出装置１００を用いたスロットマシン１０では、エラー対応手段２７０は、エラー対応として、ホッパー１１０の駆動を停止させる。このため、メダルの不正な払い出しをより確実に防止できるのである。
また、本実施の形態に係るメダル払出装置１００を用いたスロットマシン１０では、エラー対応手段２７０は、すべての回転リール４０の回転が停止した後における遊技操作を無効にする。このため、ホッパー１１０にエラーがあれば、次回の遊技を開始できなくなるので、メダルの不正な払い出しをより確実に防止できるのである。
【０１３９】
また、本実施の形態に係るメダル払出装置１００を用いたスロットマシン１０では、エラー対応手段２７０は、エラー対応として、主制御部２１から副制御部２２への信号を無効にする。このため、例えば、演出が行われなくなり、これにより、異常な状態となって目立つので、メダルの不正な払い出しをより効果的に防止できるのである。
【０１４０】
また、本実施の形態に係るメダル払出装置１００を用いたスロットマシン１０では、エラー対応手段２７０は、エラー対応として、スロットマシン１０とホールコンピュータとを接続するための集中端子板へエラー検出信号を送信する。このため、ホッパー１１０にエラーがあった旨がホールコンピュータでも認識可能となるので、メダルの不正な払い出しをより確実に防止できるのである。
【０１４１】
また、本実施の形態に係るメダル払出装置１００を用いたスロットマシン１０では、エラー対応手段２７０は、エラー対応を終了させる操作であるエラー対応終了操作が行われてから所定の時間（例えば３０秒）を経過すると、エラー対応手段２７０がエラー対応を終了することから、エラー対応終了操作が行われるまでは、エラー対応が終了せず、更には、エラー対応終了操作が行われても、すぐにはエラー対応が終了しないので、メダルの不正な払い出しをより効果的に防止できるのである。
【０１４２】
また、本実施の形態に係るメダル払出装置１００を用いたスロットマシン１０では、エラー対応手段２７０は、抽選手段２１０の設定を変更するための設定変更スイッチと、スロットマシン１０をリセットするためのリセットスイッチとの操作を、エラー対応終了操作としたことから、設定変更スイッチとリセットスイッチとを操作しなければ、エラー対応は終了しないので、エラー対応終了操作が複雑であり、エラー対応が簡単には終了しないので、メダルの不正な払い出しをより効果的に防止できるのである。
【０１４３】
（第２の実施の形態）
（図面の説明）
図１５ないし図３３は、本発明の第２の実施の形態を示すものである。
図１５は、メダル払出装置１００を用いたスロットマシン１０のブロック図、図１６は、ホッパー１１０の要部平面図、図１７ないし図３２は、払出命令信号、直前検出信号、駆動検出信号、及び払出検出信号のタイムチャート、図３３は、エラー検出手段２６０におけるエラー検出のパターンを示す概念図である。
【０１４４】
図１５に示すように、本実施の形態に係るメダル払出装置１００を用いたスロットマシン１０は、第１の実施の形態に係るメダル払出装置１００を用いたスロットマシン１０に、払い出し直前の位置にあるメダルを検出して直前検出信号を出力するための直前検出手段１２０を追加したものである。そして、払出命令信号と、払出検出信号と、駆動検出信号と、直前検出信号とを照合して、エラーの検出を行うようにしたものである。
【０１４５】
すなわち、本実施の形態に係るメダル払出装置１００を用いたスロットマシン１０では、ホッパー１１０は、払出検出手段１３０と、駆動検出手段１４０と、直前検出手段１２０とを備え、エラー検出手段２６０は、払出命令信号と、払出検出信号と、駆動検出信号と、直前検出信号とを照合して、エラーの検出を行うのである。
なお、本実施の形態に係るメダル払出装置１００を用いたスロットマシン１０は、ホッパー１１０、直前検出手段１２０、エラー検出手段２６０、及びエラー対応手段２７０以外については、第１の実施の形態と同様である。
【０１４６】
（直前検出手段１２０）
直前検出手段１２０は、払い出し直前の位置にあるメダルを検出して、直前検出信号を出力するためのものである。
本実施の形態では、回転ディスク１５２のメダル穴１５３にメダルが収納されている状態で、回転ディスク１５２が回転すると、メダル排出口１５６からメダルが払い出される。すなわち、本実施の形態では、払い出される直前のメダルは、回転ディスク１５２のメダル穴１５３に収納されている。このため、本実施の形態では、この直前検出手段１２０は、回転ディスク１５２のメダル穴１５３に収納されているメダルを検出して、直前検出信号を出力するようにしている。
【０１４７】
具体的には、図１６に示すように、メダル排出口１５６の近辺であって、かつ、各メダル穴１５３の軌道上であって、かつ、ベース板１５１の裏面には、直前検出手段１２０を構成する近接センサ１２１が設けられている。これにより、メダル排出口１５６から払い出されるメダルは、メダル排出口１５６から払い出される直前に、必ず近接センサ１２１上を通過するようになっている。
【０１４８】
また、近接センサ１２１は、その上にメダルがあるときには、出力端子からＨｉレベルの信号を出力し、それ以外のときには、出力端子からＬｏレベルの信号を出力するようになっている。
すなわち、近接センサ１２１上にメダルがあると、近接センサ１２１の出力端子からＨｉレベルの信号が出力され、近接センサ１２１上にメダルがないと、近接センサ１２１の出力端子からはＬｏレベルの信号が出力されるのである。
【０１４９】
そして、本実施の形態では、近接センサ１２１の出力端子から出力されるＨｉレベルの信号を、直前検出信号としているのである。
（エラー検出手段２６０）
エラー検出手段２６０は、メダル払出装置１００を構成するものであって、ホッパー１１０におけるエラーの検出を行うためのものである。
【０１５０】
このエラー検出手段２６０は、払出命令信号と、払出検出信号と、駆動検出信号と、直前検出信号とを照合して、ホッパー１１０におけるエラーの検出を行うとともに、ホッパー１１０におけるエラーを検出すると、エラー検出信号を出力する。
具体的には、払出命令信号があり、かつ、払出検出信号があり、かつ、駆動検出信号があり、かつ、直前検出信号があれば、ホッパー１１０は正常である。このときの各信号のパターンをタイムチャートに表すと、図１７に示すようになる。
【０１５１】
また、払出命令信号がなく、かつ、払出検出信号がなく、かつ、駆動検出信号がなく、かつ、直前検出信号があるときも、ホッパー１１０は正常である。このときの各信号のパターンをタイムチャートに表すと、図３１に示すようになる。
しかし、払出命令信号があり、かつ、払出検出信号があり、かつ、駆動検出信号があり、かつ、直前検出信号がないと、ホッパー１１０は異常である。このときの各信号のパターンをタイムチャートに表すと、図１８に示すようになる。この場合、特に、直前検出手段１２０の故障の可能性がある。このため、このエラー検出手段２６０は、払出命令信号があり、かつ、払出検出信号があり、かつ、駆動検出信号があり、かつ、直前検出信号がないときには、ホッパー１１０にエラーがあったと判断するとともに、故障が想定されるエラー検出信号として、エラー検出信号Ａを出力する。
【０１５２】
また、払出命令信号があり、かつ、払出検出信号があり、かつ、駆動検出信号がなく、かつ、直前検出信号があると、ホッパー１１０は異常である。このときの各信号のパターンをタイムチャートに表すと、図１９に示すようになる。この場合、特に、駆動検出手段１４０の故障の可能性がある。このため、このエラー検出手段２６０は、払出命令信号があり、かつ、払出検出信号があり、かつ、駆動検出信号がなく、かつ、直前検出信号があるときには、ホッパー１１０にエラーがあったと判断するとともに、故障が想定されるエラー検出信号として、エラー検出信号Ｂを出力する。
【０１５３】
また、払出命令信号があり、かつ、払出検出信号があり、かつ、駆動検出信号がなく、かつ、直前検出信号がないと、ホッパー１１０は異常である。このときの各信号のパターンをタイムチャートに表すと、図２０に示すようになる。この場合、特に、駆動検出手段１４０及び直前検出手段１２０の故障の可能性がある。このため、このエラー検出手段２６０は、払出命令信号があり、かつ、払出検出信号があり、かつ、駆動検出信号がなく、かつ、直前検出信号がないときには、ホッパー１１０にエラーがあったと判断するとともに、故障が想定されるエラー検出信号として、エラー検出信号Ｃを出力する。
【０１５４】
また、払出命令信号があり、かつ、払出検出信号がなく、かつ、駆動検出信号があり、かつ、直前検出信号があると、ホッパー１１０は異常である。このときの各信号のパターンをタイムチャートに表すと、図２１に示すようになる。この場合、特に、払出検出手段１３０の故障の可能性がある。このため、このエラー検出手段２６０は、払出命令信号があり、かつ、払出検出信号がなく、かつ、駆動検出信号があり、かつ、直前検出信号があるときには、ホッパー１１０にエラーがあったと判断するとともに、故障が想定されるエラー検出信号として、エラー検出信号Ｄを出力する。
【０１５５】
また、払出命令信号があり、かつ、払出検出信号がなく、かつ、駆動検出信号があり、かつ、直前検出信号がないと、ホッパー１１０内のメダル切れが想定される。このときの各信号のパターンをタイムチャートに表すと、図２２に示すようになる。このため、このエラー検出手段２６０は、払出命令信号があり、かつ、払出検出信号がなく、かつ、駆動検出信号があり、かつ、直前検出信号がないときには、ホッパー１１０内のメダル切れと判断するとともに、ホッパー１１０内のメダル切れを示すエラー検出信号として、エラー検出信号Ｅを出力する。
【０１５６】
また、払出命令信号があり、かつ、払出検出信号がなく、かつ、駆動検出信号がなく、かつ、直前検出信号があると、ホッパー１１０は異常である。このときの各信号のパターンをタイムチャートに表すと、図２３に示すようになる。この場合、特に、払出モータ１５４の故障の可能性がある。このため、このエラー検出手段２６０は、払出命令信号があり、かつ、払出検出信号がなく、かつ、駆動検出信号がなく、かつ、直前検出信号があるときには、ホッパー１１０にエラーがあったと判断するとともに、故障が想定されるエラー検出信号として、エラー検出信号Ｆを出力する。
【０１５７】
また、払出命令信号があり、かつ、払出検出信号がなく、かつ、駆動検出信号がなく、かつ、直前検出信号がないと、ホッパー１１０は異常である。このときの各信号のパターンをタイムチャートに表すと、図２４に示すようになる。この場合、特に、直前検出手段１２０及び払出モータ１５４の故障の可能性がある。このため、このエラー検出手段２６０は、払出命令信号があり、かつ、払出検出信号がなく、かつ、駆動検出信号がなく、かつ、直前検出信号がないときには、ホッパー１１０にエラーがあったと判断するとともに、故障が想定されるエラー検出信号として、エラー検出信号Ｇを出力する。
【０１５８】
また、払出命令信号がなく、かつ、払出検出信号があり、かつ、駆動検出信号があり、かつ、直前検出信号があると、ホッパー１１０は異常である。このときの各信号のパターンをタイムチャートに表すと、図２５に示すようになる。この場合、特に、払出モータ１５４を強制的に駆動させる不正が行われた可能性がある。このため、このエラー検出手段２６０は、払出命令信号がなく、かつ、払出検出信号があり、かつ、駆動検出信号があり、かつ、直前検出信号があるときには、ホッパー１１０にエラーがあったと判断するとともに、不正が想定されるエラー検出信号として、エラー検出信号Ｈを出力する。
【０１５９】
また、払出命令信号がなく、かつ、払出検出信号があり、かつ、駆動検出信号があり、かつ、直前検出信号がないと、ホッパー１１０は異常である。このときの各信号のパターンをタイムチャートに表すと、図２６に示すようになる。この場合、特に、直前検出手段１２０をマスクした状態で払出モータ１５４を強制的に駆動させる不正が行われた可能性がある。このため、このエラー検出手段２６０は、払出命令信号がなく、かつ、払出検出信号があり、かつ、駆動検出信号があり、かつ、直前検出信号がないときには、ホッパー１１０にエラーがあったと判断するとともに、不正が想定されるエラー検出信号として、エラー検出信号Ｉを出力する。
【０１６０】
また、払出命令信号がなく、かつ、払出検出信号があり、かつ、駆動検出信号がなく、かつ、直前検出信号があると、ホッパー１１０は異常である。このときの各信号のパターンをタイムチャートに表すと、図２７に示すようになる。この場合、特に、駆動検出手段１４０をマスクした状態で払出モータ１５４を強制的に駆動させる不正が行われた可能性がある。このため、このエラー検出手段２６０は、払出命令信号がなく、かつ、払出検出信号があり、かつ、駆動検出信号がなく、かつ、直前検出信号があるときには、ホッパー１１０にエラーがあったと判断するとともに、不正が想定されるエラー検出信号として、エラー検出信号Ｊを出力する。
【０１６１】
また、払出命令信号がなく、かつ、払出検出信号があり、かつ、駆動検出信号がなく、かつ、直前検出信号がないと、ホッパー１１０は異常である。このときの各信号のパターンをタイムチャートに表すと、図２８に示すようになる。この場合、特に、駆動検出手段１４０及び直前検出手段１２０をマスクした状態で払出モータ１５４を強制的に駆動させる不正が行われた可能性がある。このため、このエラー検出手段２６０は、払出命令信号がなく、かつ、払出検出信号があり、かつ、駆動検出信号がなく、かつ、直前検出信号がないときには、ホッパー１１０にエラーがあったと判断するとともに、不正が想定されるエラー検出信号として、エラー検出信号Ｋを出力する。
【０１６２】
また、払出命令信号がなく、かつ、払出検出信号がなく、かつ、駆動検出信号があり、かつ、直前検出信号があると、ホッパー１１０は異常である。このときの各信号のパターンをタイムチャートに表すと、図２９に示すようになる。この場合、特に、払出検出手段１３０をマスクした状態で払出モータ１５４を強制的に駆動させる不正が行われた可能性がある。このため、このエラー検出手段２６０は、払出命令信号がなく、かつ、払出検出信号がなく、かつ、駆動検出信号があり、かつ、直前検出信号があるときには、ホッパー１１０にエラーがあったと判断するとともに、不正が想定されるエラー検出信号として、エラー検出信号Ｌを出力する。
【０１６３】
また、払出命令信号がなく、かつ、払出検出信号がなく、かつ、駆動検出信号があり、かつ、直前検出信号がないと、ホッパー１１０は異常である。このときの各信号のパターンをタイムチャートに表すと、図３０に示すようになる。この場合、特に、払出検出手段１３０及び直前検出手段１２０をマスクした状態で払出モータ１５４を強制的に駆動させる不正が行われた可能性がある。このため、このエラー検出手段２６０は、払出命令信号がなく、かつ、払出検出信号がなく、かつ、駆動検出信号があり、かつ、直前検出信号がないときには、ホッパー１１０にエラーがあったと判断するとともに、不正が想定されるエラー検出信号として、エラー検出信号Ｍを出力する。
【０１６４】
また、払出命令信号がなく、かつ、払出検出信号がなく、かつ、駆動検出信号がなく、かつ、直前検出信号がないと、ホッパー１１０内のメダル切れが想定される。このときの各信号のパターンをタイムチャートに表すと、図３２に示すようになる。このため、このエラー検出手段２６０は、払出命令信号がなく、かつ、払出検出信号がなく、かつ、駆動検出信号がなく、かつ、直前検出信号がないときには、ホッパー１１０内のメダル切れと判断するとともに、ホッパー１１０内のメダル切れを示すエラー検出信号として、エラー検出信号Ｎを出力する。
【０１６５】
これらをまとめると、図３３に示すようになる。
（エラー対応手段２７０）
エラー対応手段２７０は、ホッパー１１０におけるエラーに対応した措置であるエラー対応を行うためのものである。
このエラー対応手段２７０は、エラー検出信号の出力があると、所定のエラー対応を行う。
【０１６６】
また、このエラー対応手段２７０は、エラー検出信号の種類によって、エラー対応の態様を変更する。
本実施の形態では、エラー検出信号Ａ、エラー検出信号Ｂ、エラー検出信号Ｃ、エラー検出信号Ｄ、エラー検出信号Ｆ、又はエラー検出信号Ｇの出力があったときには、故障が想定され、エラー検出信号Ｅ、又はエラー検出信号Ｎの出力があったときには、メダル切れが想定され、エラー検出信号Ｈ、エラー検出信号Ｉ、エラー検出信号Ｊ、エラー検出信号Ｋ、エラー検出信号Ｌ、又はエラー検出信号Ｍの出力があったときには、不正が想定される。
【０１６７】
このため、このエラー対応手段２７０は、エラー検出信号Ａ、エラー検出信号Ｂ、エラー検出信号Ｃ、エラー検出信号Ｄ、エラー検出信号Ｆ、又はエラー検出信号Ｇの出力があったときには、エラー対応として、液晶ディスプレイ７９に「故障」の文字を表示し、エラー検出信号Ｅ、又はエラー検出信号Ｎの出力があったときには、エラー対応として、液晶ディスプレイ７９に「メダル切れ」の文字を表示し、エラー検出信号Ｈ、エラー検出信号Ｉ、エラー検出信号Ｊ、エラー検出信号Ｋ、エラー検出信号Ｌ、又はエラー検出信号Ｍの出力があったときには、エラー対応として、液晶ディスプレイ７９に「不正」の文字を表示する。
【０１６８】
また、このエラー対応手段２７０は、上述した点以外については、第１の実施の形態と同様である。
このように、本実施の形態に係るメダル払出装置１００を用いたスロットマシン１０は、メダルの払い出しを検出して払出検出信号を出力する払出検出手段１３０と、ホッパー１１０の駆動を検出して駆動検出信号を出力する駆動検出手段１４０と、払い出し直前の位置にあるメダルを検出して直前検出信号を出力する直前検出手段１２０とを備えるとともに、払出命令信号、払出検出信号、駆動検出信号、及び直前検出信号を照合してホッパーにおけるエラーの検出を行うエラー検出手段２６０と、このエラー検出手段２６０がエラーを検出すると所定のエラー対応を行うエラー対応手段２７０とを備えている。このため、ホッパー１１０にエラーがあった旨をより確実に検出できるので、メダルの不正な払い出しをより確実に防止できるのである。
【０１６９】
更に、本実施の形態に係るメダル払出装置１００を用いたスロットマシン１０では、エラー検出手段２６０は、払出命令信号があり、かつ、払出検出信号があり、かつ、駆動検出信号があり、かつ、直前検出信号がないときには、故障が想定されるエラー検出信号として、エラー検出信号Ａを出力し、払出命令信号があり、かつ、払出検出信号があり、かつ、駆動検出信号がなく、かつ、直前検出信号があるときには、故障が想定されるエラー検出信号として、エラー検出信号Ｂを出力し、払出命令信号があり、かつ、払出検出信号があり、かつ、駆動検出信号がなく、かつ、直前検出信号がないときには、故障が想定されるエラー検出信号として、エラー検出信号Ｃを出力し、払出命令信号があり、かつ、払出検出信号がなく、かつ、駆動検出信号があり、かつ、直前検出信号があるときには、故障が想定されるエラー検出信号として、エラー検出信号Ｄを出力し、払出命令信号があり、かつ、払出検出信号がなく、かつ、駆動検出信号があり、かつ、直前検出信号がないときには、ホッパー１１０内のメダル切れが想定されるエラー検出信号として、エラー検出信号Ｅを出力し、払出命令信号があり、かつ、払出検出信号がなく、かつ、駆動検出信号がなく、かつ、直前検出信号があるときには、故障が想定されるエラー検出信号として、エラー検出信号Ｆを出力し、払出命令信号があり、かつ、払出検出信号がなく、かつ、駆動検出信号がなく、かつ、直前検出信号がないときには、故障が想定されるエラー検出信号として、エラー検出信号Ｇを出力し、払出命令信号がなく、かつ、払出検出信号があり、かつ、駆動検出信号があり、かつ、直前検出信号があるときには、不正が想定されるエラー検出信号として、エラー検出信号Ｈを出力し、払出命令信号がなく、かつ、払出検出信号があり、かつ、駆動検出信号があり、かつ、直前検出信号がないときには、不正が想定されるエラー検出信号として、エラー検出信号Ｉを出力し、払出命令信号がなく、かつ、払出検出信号があり、かつ、駆動検出信号がなく、かつ、直前検出信号があるときには、不正が想定されるエラー検出信号として、エラー検出信号Ｊを出力し、払出命令信号がなく、かつ、払出検出信号があり、かつ、駆動検出信号がなく、かつ、直前検出信号がないときには、不正が想定されるエラー検出信号として、エラー検出信号Ｋを出力し、払出命令信号がなく、かつ、払出検出信号がなく、かつ、駆動検出信号があり、かつ、直前検出信号があるときには、不正が想定されるエラー検出信号として、エラー検出信号Ｌを出力し、払出命令信号がなく、かつ、払出検出信号がなく、かつ、駆動検出信号があり、かつ、直前検出信号がないときには、不正が想定されるエラー検出信号として、エラー検出信号Ｍを出力し、払出命令信号がなく、かつ、払出検出信号がなく、かつ、駆動検出信号がなく、かつ、直前検出信号がないときには、ホッパー１１０内のメダル切れが想定されるエラー検出信号として、エラー検出信号Ｎを出力する。このため、エラーの態様をより詳しく検出できるのである。
【０１７０】
【発明の効果】
（請求項１）
以上説明したように、請求項１記載の発明によれば、メダルの払い出しを検出して払出検出信号を出力する払出検出手段と、ホッパーの駆動を検出して駆動検出信号を出力する駆動検出手段とを備えるとともに、払出命令信号、払出検出信号、及び駆動検出信号を照合してホッパーにおけるエラーの検出を行うエラー検出手段と、このエラー検出手段がエラーを検出すると所定のエラー対応を行うエラー対応手段とを備えたことから、メダルの不正な払い出しを防止できるメダル払出装置を提供することができるのである。
【０１７１】
（請求項２）
また、請求項２記載の発明によれば、請求項１記載の発明の効果に加え、払い出し直前の位置にあるメダルを検出して直前検出信号を出力する直前検出手段を追加して、払出命令信号と、払出検出信号と、駆動検出信号と、直前検出信号とを照合してホッパーにおけるエラーの検出を行うことから、ホッパーにエラーがあった旨をより確実に検出できるので、メダルの不正な払い出しをより確実に防止できるメダル払出装置を提供することができるのである。
【０１７２】
（請求項３）
また、請求項３記載の発明によれば、メダルの払い出しを検出して払出検出信号を出力する払出検出手段と、ホッパーの駆動を検出して駆動検出信号を出力する駆動検出手段とを備えるとともに、払出命令信号、払出検出信号、及び駆動検出信号を照合してホッパーにおけるエラーの検出を行うエラー検出手段と、このエラー検出手段がエラーを検出すると所定のエラー対応を行うエラー対応手段とを備えたことから、メダルの不正な払い出しを防止できるメダル払出装置を用いたスロットマシンを提供することができるのである。
【０１７３】
（請求項４）
また、請求項４記載の発明によれば、請求項３記載の発明の効果に加え、払い出し直前の位置にあるメダルを検出して直前検出信号を出力する直前検出手段を追加して、払出命令信号と、払出検出信号と、駆動検出信号と、直前検出信号とを照合してホッパーにおけるエラーの検出を行うことから、ホッパーにエラーがあった旨をより確実に検出できるので、メダルの不正な払い出しをより確実に防止できるメダル払出装置を用いたスロットマシンを提供することができるのである。
【０１７４】
（請求項５）
また、請求項５記載の発明によれば、請求項３又は４記載の発明の効果に加え、エラー対応として、スピーカから特定のエラー音を出力することから、ホッパーにエラーがあった旨が目立つので、メダルの不正な払い出しをより効果的に防止できるメダル払出装置を用いたスロットマシンを提供することができるのである。
【０１７５】
（請求項６）
また、請求項６記載の発明によれば、請求項３ないし５記載の発明の効果に加え、エラー対応として、スロットマシンの前面に設けた表示装置に特定のエラー表示を行うことから、ホッパーにエラーがあった旨が目立つので、メダルの不正な払い出しをより効果的に防止できるメダル払出装置を用いたスロットマシンを提供することができるのである。
【０１７６】
（請求項７）
更に、請求項７記載の発明によれば、請求項３ないし６記載の発明の効果に加え、エラー対応として、ホッパーの駆動を停止させることから、メダルの不正な払い出しをより効果的に防止できるメダル払出装置を用いたスロットマシンを提供することができるのである。
【図面の簡単な説明】
【図１】第１の実施の形態に係るメダル払出装置を用いたスロットマシンのブロック図。
【図２】第１の実施の形態に係るメダル払出装置を用いたスロットマシンの正面図。
【図３】第１の実施の形態におけるホッパーの分解斜視図。
【図４】第１の実施の形態におけるホッパーの側面図。
【図５】第１の実施の形態におけるホッパーの要部平面図。
【図６】第１の実施の形態における各信号のパターンを示すタイムチャート。
【図７】第１の実施の形態における各信号のパターンを示すタイムチャート。
【図８】第１の実施の形態における各信号のパターンを示すタイムチャート。
【図９】第１の実施の形態における各信号のパターンを示すタイムチャート。
【図１０】第１の実施の形態における各信号のパターンを示すタイムチャート。
【図１１】第１の実施の形態における各信号のパターンを示すタイムチャート。
【図１２】第１の実施の形態における各信号のパターンを示すタイムチャート。
【図１３】第１の実施の形態における各信号のパターンを示すタイムチャート。
【図１４】第１の実施の形態におけるエラー検出のパターンを示す概念図。
【図１５】第２の実施の形態に係るメダル払出装置を用いたスロットマシンのブロック図。
【図１６】第２の実施の形態におけるホッパーの要部平面図。
【図１７】第２の実施の形態における各信号のパターンを示すタイムチャート。
【図１８】第２の実施の形態における各信号のパターンを示すタイムチャート。
【図１９】第２の実施の形態における各信号のパターンを示すタイムチャート。
【図２０】第２の実施の形態における各信号のパターンを示すタイムチャート。
【図２１】第２の実施の形態における各信号のパターンを示すタイムチャート。
【図２２】第２の実施の形態における各信号のパターンを示すタイムチャート。
【図２３】第２の実施の形態における各信号のパターンを示すタイムチャート。
【図２４】第２の実施の形態における各信号のパターンを示すタイムチャート。
【図２５】第２の実施の形態における各信号のパターンを示すタイムチャート。
【図２６】第２の実施の形態における各信号のパターンを示すタイムチャート。
【図２７】第２の実施の形態における各信号のパターンを示すタイムチャート。
【図２８】第２の実施の形態における各信号のパターンを示すタイムチャート。
【図２９】第２の実施の形態における各信号のパターンを示すタイムチャート。
【図３０】第２の実施の形態における各信号のパターンを示すタイムチャート。
【図３１】第２の実施の形態における各信号のパターンを示すタイムチャート。
【図３２】第２の実施の形態における各信号のパターンを示すタイムチャート。
【図３３】第２の実施の形態におけるエラー検出のパターンを示す概念図。
【符号の説明】
１０    スロットマシン                  ２０    制御装置
２１    主制御部                        ２２    副制御部
３０    リール装置                      ４０    回転リール
５０    スタートスイッチ                ６０    ストップスイッチ
７０    筐体                            ７１    前面パネル
７２    図柄表示窓                      ７３    投入スイッチ
７４    ベットスイッチ                  ７５    精算スイッチ
７７    演出用ランプ                    ７８    スピーカ
７９    液晶ディスプレイ
１００    メダル払出装置                １１０    ホッパー
１２０    直前検出手段                  １２１    近接センサ
１３０    払出検出手段                  １３１    フォトセンサ
１４０    駆動検出手段                  １４１    検出用チップ
１４２    チップ検出センサ
１５０    フレーム                      １５１    ベース板
１５２    回転ディスク                  １５３    メダル穴
１５４    払出モータ                    １５５    メダルタンク
１５６    メダル排出口                  １５７    ガイドピン
１５８    四角穴                        １５９    払出アーム
１６０    回動軸                        １６１    遮光部
１６２    払出バネ                      １６３    可動払出ローラー
１６４    固定払出ローラー
２００    遊技制御手段                  ２１０    抽選手段
２２０    停止制御手段                  ２３０    停止テーブル
２４０    入賞判定手段                  ２５０    払出制御手段
２６０    エラー検出手段                ２７０    エラー対応手段
２８０    演出制御手段
【図１】
2004215952.tif 000003
【図２】
2004215952.tif 000004
【図３】
2004215952.tif 000005
【図４】
2004215952.tif 000006
【図５】
2004215952.tif 000007
【図６】
2004215952.tif 000008
【図７】
2004215952.tif 000009
【図８】
2004215952.tif 000010
【図９】
2004215952.tif 000011
【図１０】
2004215952.tif 000012
【図１１】
2004215952.tif 000013
【図１２】
2004215952.tif 000014
【図１３】
2004215952.tif 000015
【図１４】
2004215952.tif 000016
【図１５】
2004215952.tif 000017
【図１６】
2004215952.tif 000018
【図１７】
2004215952.tif 000019
【図１８】
2004215952.tif 000020
【図１９】
2004215952.tif 000021
【図２０】
2004215952.tif 000022
【図２１】
2004215952.tif 000023
【図２２】
2004215952.tif 000024
【図２３】
2004215952.tif 000025
【図２４】
2004215952.tif 000026
【図２５】
2004215952.tif 000027
【図２６】
2004215952.tif 000028
【図２７】
2004215952.tif 000029
【図２８】
2004215952.tif 000030
【図２９】
2004215952.tif 000031
【図３０】
2004215952.tif 000032
【図３１】
2004215952.tif 000033
【図３２】
2004215952.tif 000034
【図３３】
2004215952.tif 000035